(57)【要約】  爆風保護のための爆風保護されたユニット（１００）は、第１のサイド（７）と第２のサイド（８）を有する保護パネル（１４）と、前記保護パネル（１４）に外接するように適応されたサブフレーム（１６）と、複数のエネルギー吸収ユニット（３０）からなる。吸収ユニット（３０）は、サブフレーム（１６）を保護パネル（１４）に接続するように適応されている。エネルギー吸収ユニット（３０）の各々は、前述した爆風保護されたユニット（１００）が形成されるように、保護パネル（１４）とサブフレーム（１６）に接続可能である。エネルギー吸収ユニット（３０）は、保護パネル（１４）の第１のサイド（７）に対して印加された爆風力の下で変形するように構成され、保護パネル（１４）がサブフレーム（１６）から離れるように動くことおよびサブフレーム（１６）の近傍に留まることを許容する。爆風保護されたユニット（１００）は、建物構造に接続されるように適応されて前記建物構造の内部部分に爆風からの保護が提供されるようになっており、内部部分は保護パネル（１４）の第２のサイド（８）に位置している。
2013519809.tif 000002
【特許請求の範囲】
【請求項１】
爆風保護のための爆風保護されたユニットであって、
ａ．第１のサイドと第２のサイドを有する保護パネルと、
ｂ．前記保護パネルに外接するように適応されたサブフレームと、
ｃ．前記サブフレームを前記保護パネルに接続するように適応された複数のエネルギー吸収ユニットであって、前記エネルギー吸収ユニットの各々は第１の端部と第２の端部を有し、前記爆風保護されたユニットが形成されるように、前記エネルギー吸収ユニットの各々の前記第１の端部は前記保護パネルに接続可能であり、前記エネルギー吸収ユニットの各々の前記第２の端部は前記サブフレームに接続可能であり、前記エネルギー吸収ユニットは前記保護パネルの前記第１のサイドに対して印加された爆風力の下で変形するように構成され、前記保護パネルが前記サブフレームから離れるように動くことおよび前記サブフレームの近傍に留まることを許容するものと、を含み、
前記爆風保護されたユニットは、建物構造に接続されるように適応されて前記建物構造の内部部分に爆風からの保護が提供されるようになっており、前記内部部分は前記保護パネルの前記第２のサイドに位置している、
爆風保護されたユニット。
【請求項２】
前記建物構造は、少なくとも１つの開口部が形成されるようにお互いと機械的に接続された複数のシャフトを有する枠組であり、前記爆風保護されたユニットは、前記少なくとも１つの開口部にフィットされ、設置され、接続されるように適応されている、請求項１の爆風保護されたユニット。
【請求項３】
前記爆風保護されたユニットは、前記建物構造または前記枠組の壁、天井または床を置き換えるように適応されている、請求項１または２の爆風保護されたユニット。
【請求項４】
前記枠組は、（ｉ）前記枠組が搬送可能である折り畳まれた構成と、（ｉｉ）前記枠組が動作的な位置に配置される展開された構成、の２つの構成に構成可能である、請求項２の爆風保護されたユニット。
【請求項５】
爆風後の変形された状態にある前記エネルギー吸収ユニットをもった前記爆風保護されたユニットは、追加の爆風からの保護を前記建物構造の内部部分に提供すべく置き換え可能である、請求項１の爆風保護されたユニット。
【請求項６】
前記爆風保護されたユニットは、前記建物構造が位置しているあらゆる予め選択された位置において爆風からの保護を提供するように適応されている、請求項１の爆風保護されたユニット。
【請求項７】
前記エネルギー吸収ユニットは、通常の保護されていない爆風保護されたユニットの外観を提供すべく、隠されたやり方で前記パネルと前記サブフレームの間に配置されるように適応されている、請求項１の爆風保護されたユニット。
【請求項８】
前記隠されたやり方は、爆風からの保護を提供する前記爆風保護されたユニットの能力を外部観察者から隠すように適応されている、請求項７の爆風保護されたユニット。
【請求項９】
前記爆風保護されたユニットは、（ｉ）前記爆風保護されたユニットが搬送可能である、分解された構成と、（ｉｉ）前記爆風保護されたユニットが前記建物構造に接続される、組み立てられた構成、の少なくとも２つの構成に構成可能である、請求項１の爆風保護されたユニット。
【請求項１０】
前記建物構造は、複数の前記爆風保護されたユニットで保護されるように適応されている、請求項１の爆風保護されたユニット。
【請求項１１】
前記爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有する、請求項１の爆風保護されたユニット。
【請求項１２】
前記爆風保護されたユニットは更に、風、竜巻、台風、地震、天候関連条件、弾道攻撃、あらゆる押圧力、またはそれらのあらゆる組み合わせ、からなるグループから選択された要因から前記建物構造を保護するように適応されている、請求項１の爆風保護されたユニット。
【請求項１３】
前記パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られている、請求項１の爆風保護されたユニット。
【請求項１４】
前記パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられている、請求項１の爆風保護されたユニット。
【請求項１５】
前記パネルは、爆風の場合に破片が前記建物構造中に投射されることを防ぐように適応された抗破片層を含む、請求項１の爆風保護されたユニット。
【請求項１６】
前記パネルは、前記建物構造内の前記内容物に弾道保護を提供するように適応された弾道層を含む、請求項１の爆風保護されたユニット。
【請求項１７】
前記サブフレームは前記抗破片層または前記弾道層を保持するように適応されている、請求項１５または１６の爆風保護されたユニット。
【請求項１８】
前記サブフレームは、ねじ手段またはあらゆる留め具手段を介して前記建物構造に接続可能である、請求項１の爆風保護されたユニット。
【請求項１９】
前記建物構造は、コンテナ、キャラバン、壁付き恒久構造、枠組、オフィス、工業設備、ホテル、住居、大使館、およびそれらのあらゆる組み合わせ、からなるグループから選択されている、請求項１の爆風保護されたユニット。
【請求項２０】
前記爆風保護されたユニットは、前記建物構造の壁、天井または床に接続可能である、請求項１の爆風保護されたユニット。
【請求項２１】
前記爆風保護されたユニットは、枠無し構造を提供すべく少なくとも１つの別の爆風保護されたユニットに接続可能であり、前記爆風保護されたユニット間の接続は、前記爆風保護されたユニットのサブフレームのお互いとの機械的接続によって提供される、請求項１の爆風保護されたユニット。
【請求項２２】
前記爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項１の爆風保護されたユニット。
【請求項２３】
前記エネルギー吸収ユニットは、複数回の爆風に耐えるように構成されている、請求項１の爆風保護されたユニット。
【請求項２４】
前記爆風保護されたユニットは、前記建物構造上への弾道攻撃の衝撃を少なくとも部分的に緩和するように適応された事前に起爆するユニットとして使われるように適応されており、前記爆風保護されたユニットは、前記建物構造から予め決められた距離において少なくとも１つの接続シャフトを介して前記建物構造に接続可能である、請求項１の爆風保護されたユニット。
【請求項２５】
前記パネルは、前記建物構造の崩壊または損傷を防ぐべく、予め決められたレベルの爆風が起こる時に前記サブフレームから離脱するように適応されている、請求項１の爆風保護されたユニット。
【請求項２６】
前記建物構築物は更に、それに接続された少なくとも１つの爆風保護システムを含む、請求項１の爆風保護されたユニット。
【請求項２７】
前記爆風保護されたユニットは、建物構造の外部部分または開口部に接続されるように適応されている、請求項１の爆風保護されたユニット。
【請求項２８】
爆風保護のための建物構築物であって、
ａ．少なくとも１つの開口部を有する建物構造と、
ｂ．少なくとも１つの爆風保護されたユニットであって、
ｉ．第１のサイドと第２のサイドを有する保護パネルと、
ｉｉ．前記保護パネルに外接するように適応されたサブフレームであって、前記サブフレームは前記開口部の少なくとも１つにフィットされるように適応されているものと、
ｉｉｉ．前記サブフレームを前記保護パネルに接続するように適応された複数のエネルギー吸収ユニットであって、前記エネルギー吸収ユニットの各々は第１の端部と第２の端部を有し、前記爆風保護されたユニットが形成されるように、前記エネルギー吸収ユニットの各々の前記第１の端部は前記保護パネルに接続可能であり、前記エネルギー吸収ユニットの各々の前記第２の端部は前記サブフレームに接続可能であり、前記エネルギー吸収ユニットは前記保護パネルの前記第１のサイドに対して印加された爆風力の下で変形するように構成され、前記保護パネルが前記サブフレームから離れるように動くことおよび前記サブフレームの近傍に留まることを許容するものと、を含み、
前記少なくとも１つの爆風保護されたユニットは、開口部の少なくとも１つに据え付けられ接続されるように適応されて前記建物構造の内部部分に爆風からの保護が提供されるようになっており、前記内部部分は前記保護パネルの前記第２のサイドに位置している爆風保護されたユニットと、
を含む建物構築物。
【請求項２９】
前記建物構造は、前記開口部が形成されるようにお互いと機械的に接続された複数のシャフトを有する枠組である、請求項２８の建物構築物。
【請求項３０】
前記爆風保護されたユニットは、前記建物構造または前記枠組の壁、天井または床を置き換えるように適応されている、請求項２８または２９の建物構築物。
【請求項３１】
前記枠組は、（ｉ）前記枠組が搬送可能である折り畳まれた構成と、（ｉｉ）前記枠組が動作的な位置に配置される展開された構成、の２つの構成に構成可能である、請求項２９の建物構築物。
【請求項３２】
爆風後の変形された状態にある前記エネルギー吸収ユニットをもった前記少なくとも１つの爆風保護されたユニットは、追加の爆風からの保護を前記建物構造の内部部分に提供すべく置き換え可能である、請求項２８の建物構築物。
【請求項３３】
前記少なくとも１つの爆風保護されたユニットは、前記建物構造が位置しているあらゆる予め選択された位置において爆風からの保護を提供するように適応されている、請求項２８の建物構築物。
【請求項３４】
前記エネルギー吸収ユニットは、通常の保護されていない爆風保護されたユニットの外観を提供すべく、隠されたやり方で前記パネルと前記サブフレームの間に配置されるように適応されている、請求項２８の建物構築物。
【請求項３５】
前記隠されたやり方は、爆風からの保護を提供する前記爆風保護されたユニットの能力を外部観察者から隠すように適応されている、請求項３４の建物構築物。
【請求項３６】
前記少なくとも１つの爆風保護されたユニットは、（ｉ）前記爆風保護されたユニットが搬送可能である、分解された構成と、（ｉｉ）前記爆風保護されたユニットが前記建物構造に接続される、組み立てられた構成、の少なくとも２つの構成に構成可能である、請求項２８の建物構築物。
【請求項３７】
前記建物構造は、複数の前記爆風保護されたユニットで保護されるように適応されている、請求項２８の建物構築物。
【請求項３８】
前記少なくとも１つの爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有する、請求項２８の建物構築物。
【請求項３９】
前記少なくとも１つの爆風保護されたユニットは更に、風、竜巻、台風、地震、天候関連条件、弾道攻撃、あらゆる押圧力、またはそれらのあらゆる組み合わせ、からなるグループから選択された要因から前記建物構造を保護するように適応されている、請求項２８の建物構築物。
【請求項４０】
前記パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られている、請求項２８の建物構築物。
【請求項４１】
前記パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられている、請求項２８の建物構築物。
【請求項４２】
前記パネルは、爆風の場合に破片が前記建物構造中に投射されることを防ぐように適応された抗破片層を含む、請求項２８の建物構築物。
【請求項４３】
前記パネルは、前記建物構造内の前記内容物に弾道保護を提供するように適応された弾道層を含む、請求項２８の建物構築物。
【請求項４４】
前記サブフレームは前記抗破片層または前記弾道層を保持するように適応されている、請求項４２または４３の建物構築物。
【請求項４５】
前記サブフレームは、ねじ手段またはあらゆる留め具手段を介して前記建物構造に接続可能である、請求項２８の建物構築物。
【請求項４６】
前記建物構造は、コンテナ、キャラバン、壁付き恒久構造、枠組、オフィス、工業設備、ホテル、住居、大使館、およびそれらのあらゆる組み合わせ、からなるグループから選択されている、請求項２８の建物構築物。
【請求項４７】
前記少なくとも１つの爆風保護されたユニットは、前記建物構造の壁、天井または床に接続可能である、請求項２８の建物構築物。
【請求項４８】
前記少なくとも１つの爆風保護されたユニットは、枠無し構造を提供すべく別の少なくとも１つの爆風保護されたユニットに接続可能であり、前記爆風保護されたユニット間の接続は、前記爆風保護されたユニットのサブフレームのお互いとの機械的接続によって提供される、請求項２８の建物構築物。
【請求項４９】
前記爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項２８の建物構築物。
【請求項５０】
前記エネルギー吸収ユニットは、複数回の爆風に耐えるように構成されている、請求項２８の建物構築物。
【請求項５１】
前記少なくとも１つの爆風保護されたユニットは、前記建物構造上への弾道攻撃の衝撃を少なくとも部分的に緩和するように適応された事前に起爆するユニットとして使われるように適応されており、前記爆風保護されたユニットは、前記建物構造から予め決められた距離において少なくとも１つの接続シャフトを介して前記建物構造に接続可能である、請求項２８の建物構築物。
【請求項５２】
前記パネルは、前記建物構造の崩壊または損傷を防ぐべく、予め決められたレベルの爆風が起こる時に前記サブフレームから離脱するように適応されている、請求項２８の建物構築物。
【請求項５３】
前記建物構築物は更に、それに接続された少なくとも１つの爆風保護システムを含む、請求項２８の建物構築物。
【請求項５４】
前記爆風保護されたユニットは、建物構造の外部部分または開口部に接続されるように適応されている、請求項２８の建物構築物。
【請求項５５】
爆風保護のための枠無し構造であって、前記枠無し構造は複数の爆風保護されたユニットを含み、爆風保護されたユニットの各々は、
ａ．第１のサイドと第２のサイドを有する保護パネルと、
ｂ．前記保護パネルに外接するように適応されたサブフレームと、
ｃ．前記サブフレームを前記保護パネルに接続するように適応された複数のエネルギー吸収ユニットであって、前記エネルギー吸収ユニットの各々は第１の端部と第２の端部を有し、前記爆風保護されたユニットが形成されるように、前記エネルギー吸収ユニットの各々の前記第１の端部は前記保護パネルに接続可能であり、前記エネルギー吸収ユニットの各々の前記第２の端部は前記サブフレームに接続可能であり、前記エネルギー吸収ユニットは前記保護パネルの前記第１のサイドに対して印加された爆風力の下で変形するように構成され、前記保護パネルが前記サブフレームから離れるように動くことおよび前記サブフレームの近傍に留まることを許容するものと、を含み、
前記爆風保護されたユニットは、前記枠無し構造の内部部分が爆風から保護されるように、前記枠無し構造を提供すべくお互いに接続されるように適応されており、前記内部部分は前記保護パネルの前記第２のサイドに位置している、
枠無し構造。
【請求項５６】
前記爆風保護されたユニットは、前記建物構造または前記枠組の壁、天井または床を置き換えるように適応されている、請求項５５の枠無し構造。
【請求項５７】
爆風後の変形された状態にある前記エネルギー吸収ユニットをもった前記少なくとも１つの爆風保護されたユニットは、追加の爆風からの保護を前記建物構造の内部部分に提供すべく置き換え可能である、請求項５５の枠無し構造。
【請求項５８】
前記爆風保護されたユニットは、前記建物構造が位置しているあらゆる予め選択された位置において爆風からの保護を提供するように適応されている、請求項５５の枠無し構造。
【請求項５９】
前記エネルギー吸収ユニットは、通常の保護されていない爆風保護されたユニットの外観を提供すべく、隠されたやり方で前記パネルと前記サブフレームの間に配置されるように適応されている、請求項５５の枠無し構造。
【請求項６０】
前記隠されたやり方は、爆風からの保護を提供する前記爆風保護されたユニットの能力を外部観察者から隠すように適応されている、請求項５９の枠無し構造。
【請求項６１】
前記爆風保護されたユニットは、（ｉ）前記爆風保護されたユニットが搬送可能である、分解された構成と、（ｉｉ）前記爆風保護されたユニットがお互いに接続される、組み立てられた構成、の少なくとも２つの構成に構成可能である、請求項５９の枠無し構造。
【請求項６２】
前記爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有する、請求項５９の枠無し構造。
【請求項６３】
前記爆風保護されたユニットは更に、風、竜巻、台風、地震、天候関連条件、弾道攻撃、あらゆる押圧力、またはそれらのあらゆる組み合わせ、からなるグループから選択された要因から前記建物構造を保護するように適応されている、請求項５９の枠無し構造。
【請求項６４】
前記パネルは、フェノール発泡体、ポリウレア発泡体、ガラスファイバー、カーボンファイバー、アラミドファイバー、ポリスチレン、ポリエチレンファイバー、プラスチック発泡体、岩綿、複合材料、軽量建物材料、およびそれらのあらゆる組み合わせ、からなるグループから選択された少なくとも１つの材料で作られている、請求項５９の枠無し構造。
【請求項６５】
前記パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられている、請求項５９の枠無し構造。
【請求項６６】
前記パネルは、爆風の場合に破片が前記枠無し構造中に投射されることを防ぐように適応された抗破片層を含む、請求項５９の枠無し構造。
【請求項６７】
前記パネルは、前記枠無し構造内の前記内容物に弾道保護を提供するように適応された弾道層を含む、請求項５９の枠無し構造。
【請求項６８】
前記サブフレームは前記抗破片層または前記弾道層を保持するように適応されている、請求項６６または６７の枠無し構造。
【請求項６９】
前記サブフレームは、ねじ手段またはあらゆる留め具手段を介して前記建物構造に接続可能である、請求項５９の枠無し構造。
【請求項７０】
前記建物構造は、コンテナ、キャラバン、壁付き恒久構造、枠組、オフィス、工業設備、ホテル、住居、大使館、およびそれらのあらゆる組み合わせ、からなるグループから選択されている、請求項５９の枠無し構造。
【請求項７１】
前記爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項５９の枠無し構造。
【請求項７２】
前記エネルギー吸収ユニットは、複数回の爆風に耐えるように構成されている、請求項５９の枠無し構造。
【請求項７３】
少なくとも１つの爆風保護されたユニットは、前記枠無し構造上への弾道攻撃の衝撃を少なくとも部分的に緩和するように適応された事前に起爆するユニットとして使われるように適応されており、前記追加の爆風保護されたユニットは、前記建物構造から予め決められた距離において少なくとも１つの接続シャフトを介して前記建物構造に接続可能である、請求項５９の枠無し構造。
【請求項７４】
前記パネルは、前記枠無し構造の崩壊または損傷を防ぐべく、予め決められたレベルの爆風が起こる時に前記サブフレームから離脱するように適応されている、請求項５９の枠無し構造。
【請求項７５】
前記枠無し構造は更に、それに接続された少なくとも１つの爆風保護システムを含む、請求項５９の枠無し構造。
【請求項７６】
建物構造の内部の保護のための爆風保護システムであって、
ａ．前記建物構造に接続されるように適応された第1および第２のエネルギー吸収ユニットと、
ｂ．第1および第２の端部を有する複数の間隔を空けられた細長いエレメントであって、前記細長いエレメントの各第１の端部は前記第１のエネルギー吸収ユニットに機械的に接続可能であり、前記細長いエレメントの各第２の端部は前記第２のエネルギー吸収ユニットに機械的に接続可能であるものと、
ｃ．前記第１および第２のエネルギー吸収ユニットに機械的に接続可能な少なくとも１つの保護層と、を含み、
前記エネルギー吸収ユニットは、爆風によって作り出されたエネルギーが前記細長いエレメントを介して前記エネルギー吸収ユニットによって少なくとも部分的に吸収されるように、前記細長いエレメントと前記少なくとも１つの保護層に対して印加された力の下で変形するように構成されている、
爆風保護システム。
【請求項７７】
前記細長いエレメントと前記少なくとも１つの保護層は、前記建物構造の一部分の寸法にフィットするように寸法的に調節可能である、請求項７６の爆風保護システム。
【請求項７８】
前記システムの前記寸法は、前記第１および第２のエネルギー吸収ユニットの間の距離である、請求項７７の爆風保護システム。
【請求項７９】
前記距離は、およそ１００ｃｍとおよそ１０ｍの間である、請求項７８の爆風保護システム。
【請求項８０】
前記少なくとも１つの保護層の寸法は、細長くすることの可能性、引き伸ばし可能性、弾性、拡張可能性、拡大可能性、巻き上げられた状態で提供された時の広げられる能力、切断、スライシング、またはそれらのあらゆる組み合わせ、からなるグループから選択された特性によって調節可能である、請求項７６の爆風保護システム。
【請求項８１】
前記システムは、前記建物構造の一部分の前でかつそれに実質的に隣接して設置されるように適応されている、請求項７６の爆風保護システム。
【請求項８２】
前記爆風保護システムは、前記第１および第２のエネルギー吸収ユニットの間の距離を壁の高さに調節し、前記壁の幅全体を覆うように前記爆風保護システムの少なくとも１つの保護層を設置することによって、前記壁の面積全体を覆うように適応されている、請求項７６の爆風保護システム。
【請求項８３】
前記建物構造の前記一部分は、壁、床、天井、およびそれらのあらゆる組み合わせ、からなるグループから選択されている、請求項８０の爆風保護システム。
【請求項８４】
前記建物構造は、部屋、建物構築物、ロッジ、家、キャビン、キャラバン、車両、枠組、またはそれらのあらゆる組み合わせ、からなるグループから選択されている、請求項７６の爆風保護システム。
【請求項８５】
前記第１のエネルギー吸収ユニットは、前記建物構造の天井に接続されるように適応されており、前記第２のエネルギー吸収ユニットは、前記建物構造の床に接続されるように適応されている、請求項７６の爆風保護システム。
【請求項８６】
前記少なくとも１つの保護層は、爆風の場合に破片が前記構造中に投射されることを防ぐための抗破片層を含む、請求項７６の爆風保護システム。
【請求項８７】
前記少なくとも１つの保護層は、前記構造内の内容物に弾道保護を提供するための弾道層を含む、請求項７６の爆風保護システム。
【請求項８８】
前記少なくとも１つの保護層は、前記抗破片層と前記弾道層の２つの保護層を含む、請求項８６または８７の爆風保護システム。
【請求項８９】
前記少なくとも１つの保護層は、保護パネルを含む、請求項７６の爆風保護システム。
【請求項９０】
前記少なくとも１つの保護層は、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料で作られている、請求項７６の爆風保護システム。
【請求項９１】
前記少なくとも１つの保護層は、液体隔離、水分隔離、騒音隔離、熱的隔離、防火、弾道保護性質をもった、可撓性、エネルギー吸収性、軽量、事前に製作された、可変な硬度、弾力性、半透明、またはそれらのあらゆる組み合わせ、からなるグループから選択された特性によって特徴付けられた材料で作られている、請求項７６の爆風保護システム。
【請求項９２】
前記細長いエレメントは、細長くすることの可能性、引き伸ばし可能性、拡張可能性、拡大可能性、伸縮可能性、非弾性、またはそれらのあらゆる組み合わせ、からなるグループから選択された特性によって特徴付けられている、請求項７６の爆風保護システム。
【請求項９３】
前記細長いエレメントは、棒、パイプ、バー、メッシュ、シャフト、スティック、ケーブル、コード、ロープ、紐、ワイヤ、糸、またはそれらのあらゆる組み合わせ、からなるグループから選択されている、請求項７６の爆風保護システム。
【請求項９４】
前記第１および第２のエネルギー吸収ユニットは、第１と第２の接続プロファイルの間に位置するエネルギー吸収サブユニットのアレイを含み、前記第１の接続プロファイルは前記エネルギー吸収サブユニットを前記細長いエレメントと前記少なくとも１つの保護層と相互接続するように適応されており、前記第２の接続プロファイルは前記エネルギー吸収サブユニットを前記構造と相互接続するように適応されている、請求項７６の爆風保護システム。
【請求項９５】
前記爆風保護システムは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項７６の爆風保護システム。
【請求項９６】
前記爆風保護システムは、再配置可能、搬送可能、携帯可能、前記構築物に固定された、モジュール型、設置が容易、キット状、巻き上げられたキット中に設けられた、置き換え可能、アップグレード可能、拡張可能、素早く配備可能、素人による設置が簡単、軽量、爆風保護された、爆風および弾道保護された、またはそれらのあらゆる組み合わせ、からなるグループから選択された特性を有する、請求項７６の爆風保護システム。
【請求項９７】
前記第１および第２のエネルギー吸収ユニットは、ねじ手段またはあらゆる都合の良い留め具手段を介して前記建物構造に接続可能である、請求項７６の爆風保護システム。
【請求項９８】
前記エネルギー吸収ユニットは、複数回の爆風に耐えるように構成されている、請求項７６の爆風保護システム。
【請求項９９】
前記細長いエレメントはお互いと実質的に平行である、請求項７６の爆風保護システム。
【請求項１００】
前記細長いエレメントと前記少なくとも１つの保護層に対して印加された前記力は、風の力、竜巻が発生した力、台風が発生した力、地震によって発生された力、天候に関連した力、あらゆるその他の押圧力、またはそれらのあらゆる組み合わせ、からなるグループから少なくとも部分的に選択されている、請求項７６の爆風保護システム。
【請求項１０１】
爆風保護された建物構築物を構築するための方法であって、
ａ．少なくとも１つの開口部を有する建物構造を提供するステップと、
ｂ．少なくとも１つの爆風保護されたユニットであって、（ｉ）第１のサイドと第２のサイドを有する保護パネルと、（ｉｉ）前記保護パネルに外接するように適応されたサブフレームであって、前記サブフレームは前記開口部の少なくとも１つにフィットされるように適応されているものと、（ｉｉｉ）前記サブフレームを前記保護パネルに接続するように適応された複数のエネルギー吸収ユニットであって、前記エネルギー吸収ユニットの各々は第１の端部と第２の端部を有し、前記爆風保護されたユニットが形成されるように、前記エネルギー吸収ユニットの各々の前記第１の端部は前記保護パネルに接続可能であり、前記エネルギー吸収ユニットの各々の前記第２の端部は前記サブフレームに接続可能であり、前記エネルギー吸収ユニットは前記保護パネルの前記第１のサイドに対して印加された爆風力の下で変形するように構成され、前記保護パネルが前記サブフレームから離れるように動くことおよび前記サブフレームの近傍に留まることを許容するものと、を含むものを提供するステップと、
ｃ．前記少なくとも１つの爆風保護されたユニットを、前記少なくとも１つの開口部内に置くステップと、
ｄ．前記少なくとも１つの爆風保護されたユニットを、前記少なくとも１つの開口部に接続し、それにより前記建物構造の内部部分に爆風からの保護を提供するステップと、
を含む方法。
【請求項１０２】
前記建物構造を、前記少なくとも１つの開口部が形成されるようにお互いと機械的に接続された複数のシャフトを有する枠組として提供するステップを更に含む、請求項１０１の方法。
【請求項１０３】
前記爆風保護されたユニットは、前記建物構造または前記枠組の壁、天井または床を置き換えるように適応されている、請求項１０１または１０２の方法。
【請求項１０４】
前記建物構造を、（ｉ）前記建物構造が搬送可能である折り畳まれた構成と、（ｉｉ）前記建物構造が動作的な位置に配置される展開された構成、の２つの構成に再構成するステップを更に含む、請求項１０１または１０２の方法。
【請求項１０５】
爆風後の前記少なくとも１つの爆風保護されたユニットを置き換え、それにより追加の爆風からの保護を前記建物構造の内部部分に提供するステップと更に含む、請求項１０１の方法。
【請求項１０６】
前記建物構造をあらゆる予め選択された位置に置き、それにより前記予め選択された位置において爆風からの保護を提供するステップを更に含む、請求項１０１の方法。
【請求項１０７】
前記エネルギー吸収ユニットを、隠されたやり方で前記パネルと前記サブフレームの間に配置し、それにより通常の保護されていない爆風保護されたユニットの外観を提供するステップを更に含む、請求項１０１の方法。
【請求項１０８】
前記隠されたやり方は、爆風からの保護を提供する前記爆風保護されたユニットの能力を外部観察者から隠すように適応されている、請求項１０７の方法。
【請求項１０９】
前記爆風保護されたユニットを、（ｉ）前記爆風保護されたユニットが搬送可能である、分解された構成と、（ｉｉ）前記爆風保護されたユニットが前記建物構造に接続される、組み立てられた構成、の少なくとも２つの構成に構成するステップを更に含む、請求項１０１の方法。
【請求項１１０】
前記建物構造を、複数の前記爆風保護されたユニットで保護するステップを更に含む、請求項１０１の方法。
【請求項１１１】
前記少なくとも１つの爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有する、請求項１０１の方法。
【請求項１１２】
前記少なくとも１つの爆風保護されたユニットは更に、風、竜巻、台風、地震、天候関連条件、弾道攻撃、あらゆる押圧力、またはそれらのあらゆる組み合わせ、からなるグループから選択された要因から前記建物構造を保護するように適応されている、請求項１０１の方法。
【請求項１１３】
前記パネルを、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された材料で作るステップを更に含む、請求項１０１の方法。
【請求項１１４】
前記パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられている、請求項１０１の方法。
【請求項１１５】
前記パネルに、爆風の場合に破片が前記建物構造中に投射されることを防ぐように適応された抗破片層を設けるステップを更に含む、請求項１０１の方法。
【請求項１１６】
前記パネルに、前記建物構造内の前記内容物に弾道保護を提供するように適応された弾道層を設けるステップを更に含む、請求項１０１の方法。
【請求項１１７】
前記サブフレームを介して前記抗破片層または前記弾道層を保持するステップを更に含む、請求項１１５または１１６の方法。
【請求項１１８】
前記少なくとも１つの爆風保護されたユニットを前記少なくとも１つの開口部に接続する前記ステップは、ねじ手段またはあらゆる留め具手段を介して行われる、請求項１０１の方法。
【請求項１１９】
前記建物構造を、コンテナ、キャラバン、壁付き恒久構造、枠組、オフィス、工業設備、ホテル、住居、大使館、およびそれらのあらゆる組み合わせ、からなるグループから選択するステップを更に含む、請求項１０１の方法。
【請求項１２０】
前記少なくとも１つの爆風保護されたユニットは、前記建物構造の壁、天井または床に接続可能である、請求項１０１の方法。
【請求項１２１】
前記少なくとも１つの爆風保護されたユニットを、別の少なくとも１つの爆風保護されたユニットに接続し、それにより枠無し構造を提供し、前記爆風保護されたユニット間の接続は、前記爆風保護されたユニットのサブフレームのお互いとの機械的接続によって提供される、請求項１０１の方法。
【請求項１２２】
前記爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項１０１の方法。
【請求項１２３】
前記エネルギー吸収ユニットは、複数回の爆風に耐えるように構成されている、請求項１０１の方法。
【請求項１２４】
前記少なくとも１つの爆風保護されたユニットは、前記建物構造上への弾道攻撃の衝撃を少なくとも部分的に緩和するように適応された事前に起爆するユニットとして使われるように適応されており、前記爆風保護されたユニットは、前記建物構造から予め決められた距離において少なくとも１つの接続シャフトを介して前記建物構造に接続可能である、請求項１０１の方法。
【請求項１２５】
前記パネルは、前記建物構造の崩壊または損傷を防ぐべく、予め決められたレベルの爆風が起こる時に前記サブフレームから離脱するように適応されている、請求項１０１の方法。
【請求項１２６】
前記建物構築物は更に、それに接続された少なくとも１つの爆風保護システムを含む、請求項１０１の方法。
【請求項１２７】
前記爆風保護されたユニットは、建物構造の外部部分または開口部に接続されるように適応されている、請求項１０１の方法。
【請求項１２８】
前記建物構造を活動の舞台に配備し、それにより爆風からの保護を予め決められた物体に提供するステップを更に含む、請求項１０１の方法。
【請求項１２９】
前記物体は、軍隊、警察隊、兵士、応急手当要員、報道要員、軍事設備、電子設備、またはそれらのあらゆる組み合わせ、からなるグループから選択されている、請求項１２８の方法。
【請求項１３０】
前記活動の舞台は、敵意のある環境、戦場、都市、村、山岳エリア中、またはそれらのあらゆる組み合わせ、からなるグループから選択されている、請求項１２８の方法。
【請求項１３１】
前記建物構造は、およそ１０分とおよそ２時間の間の時間中に前記物体への保護を提供するために前記活動の舞台に配備されるように適応されている、請求項１２８の方法。
【請求項１３２】
前記建物構築物を提供する前記ステップは、飛行機、ジェット機、ヘリコプター、クレーン、またはそれらのあらゆる組み合わせ、からなるグループから選択された搬送手段を介して高い高度から行われる、請求項１０１の方法。
【請求項１３３】
前記建物構築物を別の建物構築物に接続し、それにより拡大された建物構築物を構築するステップを更に含む、請求項１０１の方法。
【請求項１３４】
建物構造に接続可能な爆風保護されたユニットを製造する方法であって、
ａ．第１のサイドと第２のサイドを有する保護パネルを提供するステップと、
ｂ．前記保護パネルに外接するように適応されたサブフレームを提供するステップと、
ｃ．複数のエネルギー吸収ユニットであって、前記エネルギー吸収ユニットの各々は第１の端部と第２の端部を有するものを提供するステップと、
ｄ．前記エネルギー吸収ユニットの各々の前記第１の端部を前記保護パネルに接続するステップと、
ｅ．前記エネルギー吸収ユニットの各々の前記第２の端部を前記サブフレームに接続し、それにより前記パネルを前記サブフレームに接続し、前記爆風保護されたユニットを提供するステップと、
を含む方法。
【請求項１３５】
前記エネルギー吸収ユニットは、前記保護パネルの前記第１のサイドに対して印加された爆風力の下で変形するように構成され、前記保護パネルが前記サブフレームから離れるように動くことおよび前記サブフレームの近傍に留まることを許容する、請求項１３４の方法。
【請求項１３６】
前記爆風保護されたユニットは、前記建物構造の内部部分に爆風からの保護が提供されるように、前記建物構造に接続されるように適応されており、前記内部部分は前記保護パネルの前記第２のサイドに位置している、請求項１３４の方法。
【請求項１３７】
前記爆風保護されたユニットは、前記建物構造が位置しているあらゆる予め選択された位置において爆風からの保護を提供するように適応されている、請求項１３４の方法。
【請求項１３８】
前記エネルギー吸収ユニットは、通常の保護されていない爆風保護されたユニットの外観を提供すべく、隠されたやり方で前記パネルと前記サブフレームの間に配置されるように適応されている、請求項１３４の方法。
【請求項１３９】
前記隠されたやり方は、爆風からの保護を提供する前記爆風保護されたユニットの能力を外部観察者から隠すように適応されている、請求項１３８の方法。
【請求項１４０】
前記爆風保護されたユニットは、（ｉ）前記爆風保護されたユニットが搬送可能である、分解された構成と、（ｉｉ）前記爆風保護されたユニットが前記建物構造に接続される、組み立てられた構成、の少なくとも２つの構成に構成可能である、請求項１３４の方法。
【請求項１４１】
前記爆風保護されたユニットは更に、風、竜巻、台風、地震、天候関連条件、弾道攻撃、あらゆる押圧力、またはそれらのあらゆる組み合わせ、からなるグループから選択された要因から前記建物構造を保護するように適応されている、請求項１３４の方法。
【請求項１４２】
前記パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られている、請求項１３４の方法。
【請求項１４３】
前記パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられている、請求項１３４の方法。
【請求項１４４】
前記パネルは、爆風の場合に破片が前記建物構造中に投射されることを防ぐように適応された抗破片層を含む、請求項１３４の方法。
【請求項１４５】
前記パネルは、前記建物構造内の前記内容物に弾道保護を提供するように適応された弾道層を含む、請求項１３４の方法。
【請求項１４６】
前記爆風保護されたユニットは、前記建物構造の壁、天井または床に接続可能である、請求項１３４の方法。
【請求項１４７】
前記爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項１３４の方法。
【請求項１４８】
前記エネルギー吸収ユニットは、複数回の爆風に耐えるように構成されている、請求項１３４の方法。
【請求項１４９】
前記爆風保護されたユニットは、前記建物構造上への弾道攻撃の衝撃を少なくとも部分的に緩和するように適応された事前に起爆するユニットとして使われるように適応されており、前記爆風保護されたユニットは、前記建物構造から予め決められた距離において少なくとも１つの接続シャフトを介して前記建物構造に接続可能である、請求項１３４の方法。
【請求項１５０】
前記パネルは、前記建物構造の崩壊または損傷を防ぐべく、予め決められたレベルの爆風が起こる時に前記サブフレームから離脱するように適応されている、請求項１３４の方法。
【請求項１５１】
前記建物構造は更に、それに接続された少なくとも１つの爆風保護システムを含む、請求項１３４の方法。
【請求項１５２】
前記爆風保護されたユニットは、建物構造の外部部分または開口部に接続されるように適応されている、請求項１３４の方法。
【請求項１５３】
建物構造の内部を保護するための方法あって、
ａ．爆風保護システムであって、（ｉ）前記建物構造に接続されるように適応された第1および第２のエネルギー吸収ユニットと、（ｉｉ）第1および第２の端部を有する複数の間隔を空けられた細長いエレメントであって、前記細長いエレメントの各第１の端部は前記第１のエネルギー吸収ユニットに機械的に接続可能であり、前記細長いエレメントの各第２の端部は前記第２のエネルギー吸収ユニットに機械的に接続可能であるものと、（ｉｉｉ）前記第１および第２のエネルギー吸収ユニットに機械的に接続可能な少なくとも１つの保護層と、を含み、前記エネルギー吸収ユニットは、爆風によって作り出されたエネルギーが前記細長いエレメントを介して前記エネルギー吸収ユニットによって少なくとも部分的に吸収されるように、前記細長いエレメントと前記少なくとも１つの保護層に対して印加された力の下で変形するように構成されているものを提供するステップと、
ｂ．前記第１のエネルギー吸収ユニットを前記建物構造に接続するステップと、
ｃ．前記第２のエネルギー吸収ユニットを前記建物構造に接続するステップと、
ｄ．前記爆風保護システムによってカバーされたエリア中で前記建物構造に爆風からの保護を提供するステップと、
を含む方法。
【請求項１５４】
前記第２のエネルギー吸収ユニットを前記第１のエネルギー吸収ユニットから予め決められた距離まで引っ張り、それにより前記細長いエレメントと前記少なくとも１つの保護層の寸法を調節するステップを更に含む、請求項１５３の方法。
【請求項１５５】
前記細長いエレメントと前記少なくとも１つの保護層は、前記建物構造の一部分の寸法にフィットするように寸法的に調節可能である、請求項１５３の方法。
【請求項１５６】
前記システムの前記寸法は、前記第１および第２のエネルギー吸収ユニットの間の距離である、請求項１５５の方法。
【請求項１５７】
前記距離は、およそ１００ｃｍとおよそ１０ｍの間である、請求項１５６の方法。
【請求項１５８】
前記少なくとも１つの保護層の寸法は、細長くすることの可能性、引き伸ばし可能性、弾性、拡張可能性、拡大可能性、巻き上げられた状態で提供された時の広げられる能力、切断、スライシング、またはそれらのあらゆる組み合わせ、からなるグループから選択された特性によって調節可能である、請求項１５４の方法。
【請求項１５９】
前記爆風保護システムは、前記建物構造の一部分の前でかつそれに実質的に隣接して設置されるように適応されている、請求項１５３の方法。
【請求項１６０】
前記爆風保護システムは、前記第１および第２のエネルギー吸収ユニットの間の距離を壁の高さに調節し、前記壁の幅全体を覆うように前記爆風保護システムの少なくとも１つの保護層を設置することによって、前記壁の面積全体を覆うように適応されている、請求項１５３の方法。
【請求項１６１】
前記建物構造の前記一部分は、壁、床、天井、およびそれらのあらゆる組み合わせ、からなるグループから選択されている、請求項１６０の方法。
【請求項１６２】
前記第１のエネルギー吸収ユニットは、前記建物構造の天井に接続されるように適応されており、前記第２のエネルギー吸収ユニットは、前記建物構造の床に接続されるように適応されている、請求項１５３の方法。
【請求項１６３】
前記少なくとも１つの保護層は、爆風の場合に破片が前記構造中に投射されることを防ぐための抗破片層を含む、請求項１５３の方法。
【請求項１６４】
前記少なくとも１つの保護層は、前記構造内の内容物に弾道保護を提供するための弾道層を含む、請求項１５３の方法。
【請求項１６５】
前記少なくとも１つの保護層は、前記抗破片層と前記弾道層の２つの保護層を含む、請求項１６３または１６４の方法。
【請求項１６６】
前記少なくとも１つの保護層は、保護パネルを含む、請求項１５３の方法。
【請求項１６７】
前記少なくとも１つの保護層は、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料で作られている、請求項１５３の方法。
【請求項１６８】
前記少なくとも１つの保護層は、液体隔離、水分隔離、騒音隔離、熱的隔離、防火、弾道保護性質をもった、可撓性、エネルギー吸収性、軽量、事前に製作された、可変な硬度、弾力性、半透明、またはそれらのあらゆる組み合わせ、からなるグループから選択された特性によって特徴付けられた材料で作られている、請求項１５３の方法。
【請求項１６９】
前記細長いエレメントは、細長くすることの可能性、引き伸ばし可能性、拡張可能性、拡大可能性、伸縮可能性、非弾性、またはそれらのあらゆる組み合わせ、からなるグループから選択された特性によって特徴付けられている、請求項１５３の方法。
【請求項１７０】
前記細長いエレメントは、棒、パイプ、バー、メッシュ、シャフト、スティック、ケーブル、コード、ロープ、紐、ワイヤ、糸、またはそれらのあらゆる組み合わせ、からなるグループから選択されている、請求項１５３の方法。
【請求項１７１】
前記第１および第２のエネルギー吸収ユニットは、第１と第２の接続プロファイルの間に位置するエネルギー吸収サブユニットのアレイを含み、前記第１の接続プロファイルは前記エネルギー吸収サブユニットを前記細長いエレメントと前記少なくとも１つの保護層と相互接続するように適応されており、前記第２の接続プロファイルは前記エネルギー吸収サブユニットを前記構造と相互接続するように適応されている、請求項１５３の方法。
【請求項１７２】
前記爆風保護システムは、およそ５０ｐｓｉ．ｍｓｅｃからおよそ６００ｐｓｉ．ｍｓｅｃの間の爆風衝撃と、１５００ｐｓｉを超える爆風圧に対して安定である、請求項１５３の方法。
【請求項１７３】
前記爆風保護システムは、再配置可能、搬送可能、携帯可能、前記構築物に固定された、モジュール型、設置が容易、キット状、巻き上げられたキット中に設けられた、置き換え可能、アップグレード可能、拡張可能、素早く配備可能、素人による設置が簡単、軽量、爆風保護された、爆風および弾道保護された、またはそれらのあらゆる組み合わせ、からなるグループから選択された特性を有する、請求項１５３の方法。
【請求項１７４】
前記第１および第２のエネルギー吸収ユニットは、ねじ手段またはあらゆる都合の良い留め具手段を介して前記建物構造に接続可能である、請求項１５３の方法。
【請求項１７５】
前記エネルギー吸収ユニットは、複数回の爆風に耐えるように構成されている、請求項１５３の方法。
【請求項１７６】
前記細長いエレメントはお互いと実質的に平行である、請求項１５３の方法。
【請求項１７７】
前記細長いエレメントと前記少なくとも１つの保護層に対して印加された前記力は、風の力、竜巻が発生した力、台風が発生した力、地震によって発生された力、天候に関連した力、あらゆるその他の押圧力、またはそれらのあらゆる組み合わせ、からなるグループから少なくとも部分的に選択されている、請求項１５３の方法。
【発明の詳細な説明】
【技術分野】
【０００１】
本発明は、全体的に、囲まれた空間の内容物の、特に窓および壁の断片または爆風の過剰圧力によって引き起こされる傷害および損傷に対する人および設備の爆風および弾道保護に関し、より特定には、前記人および／または設備の保護のために使われ得る建物構築物に関する。
【背景技術】
【０００２】
居住者、兵士、設備等のための物理的安全性は、大きくなり続ける関心事である。そのような安全性の関心の１つは、構造の外部で起こり得る爆弾の起爆のような爆発によって引き起こされた損傷である。別の関心は、これもまた起こり得る構造上への弾道攻撃である。
【０００３】
爆発物の爆風に曝された建物の占有者は、爆風自体と爆風によって動かされる一次的発射体によってのみならず、元々構造壁の一部であった発射体にもよる死または傷害の可能性の危険を冒す。それらの発射体は、壁から分離し、外部衝撃波によって内向きに加速され得る。よって、例えば、鋲、底板および上板で都合良く製作された石板、石工ボード等の層の事前に製作された壁ユニットの場合には、壁が爆風から内向きに曲がるにつれて、爆風は容易に外部および内部ボードを断片化する。断片は、多くの場合爆風自体からの発射体の破壊的能力を超える、大きな発射体となる。
【０００４】
米国特許出願番号2005/0144900は、その間に加熱硬化性樹脂を染み込ませたファイバーの補強層を有し、パネルのサイドから伸長していて、伸長が金属の底板、上板および鋲構築物の金属の底および上板の周りに少なくとも部分的に包み込まれた、２つの構造的ボードからなる少なくとも１つのパネルを含んだ爆風抵抗性の事前に製作された壁パネルを開示する。パネルは、二次的発射体を形成すること無く爆発物の爆風に抵抗することが可能であり、好ましくはエネルギー吸収性の変形可能なブラケットによって建物構造に取り付けられる。この特許出願に開示された発明は、携帯可能ではなく、従って予め選択された位置における保護を提供することができない。しかも、この発明の構造はぎこちなく、分厚い壁を要求する。
【０００５】
米国特許第4,718,356号は、建物外部での爆発によって発生された圧力波からの損傷に対して外部建物壁を保護するためのシステムを開示する。外壁は、柱、壁の下の床の上面および壁の上の床の底面によって形成された建物エレメントの周囲枠組中に載置された複数の壁パネルで構築される。周囲表面中に載置された一連のガイドトラックが、建物の内部に向けて壁パネルに垂直に伸びる。壁パネルの周囲上のガイドブロックがガイドトラックを係合するので、予め決められた閾値力がパネルの外部に印加された時に壁パネルはトラックに沿って摺動可能に動くことができる。調節可能なブレーキが、ガイドブロックおよびトラックと協働して、その下でパネルの内向きの動きが始まる閾値力と、摺動中に働く比較的一定の力の正確な設定を許容する。この発明はまた、そのぎこちない構築と特定の状況では非常に重要であり得るその携帯可能性の欠如によって限定される。
【０００６】
米国特許出願2006/0032160は、ブラインドシステムを含んだ爆風抵抗性ウィンドウブラインドシステムを開示する。ブラインドシステムは、複数の平行なブラインド細板、複数の間隔を空けられた窓ガラス係合部材、および前記開口部の第１と第２の反対端に配置された窓ガラス係合部材とアンカー部材に結合された第１及び第２の載置体からなり、そこでは窓ガラス係合部材は載置体にしっかり取り付けられ、それにより構造に結合されている。少なくとも１つのエネルギー減衰装置が窓ガラス係合部材に結合され、窓ガラスの衝撃の際に構造の内側に向けて選択された量で伸びることを窓ガラス係合部材に許容し、そこではブラインドシステムと窓ガラス係合部材は、窓ガラスが構造の内側中に吹き飛ばされることから制止し、窓ガラスに跨って制止力を分散するためにそれに伴った衝撃中に窓ガラスの内側表面に適合するように協働する。この特許出願に開示された発明は、（壁ではなく）窓の爆風保護に向けられているので、大規模な爆風イベントの場合には、このシステムは構造の内部を保護するには安定的ではない。例えば、システムの保護層（垂直なブラインド細板）とエネルギー吸収ユニット（テンションばね）は、数百ｓｉ．ｍｓｅｃの大きさの衝撃によって特徴付けられる大規模な爆風からの爆風および弾道保護を提供することができない。しかも、このシステムは調節可能ではなく、従って壁および／または窓のあらゆる既存のエリアに保護を提供することができない。
【０００７】
米国特許第6,212,840号は、構造の外側での爆風の場合に壁と壁中の窓枠を有する構造の内容物を保護するための改造方法を開示する。方法は、（ａ）弾道糸の撚り糸を含んだ柔軟で引き伸ばし可能な織られたシートを提供することと、（ｂ）構造の少なくとも１つの壁の内向きに面した表面に柔軟な接着剤を介して柔軟で引き伸ばし可能な織られたシートの第１の部分を取り付けることと、（ｃ）少なくとも１つの壁中の少なくとも１つの窓枠に柔軟で引き伸ばし可能な織られたシートの第２の部分を取り付けることによって実施され、柔軟で引き伸ばし可能な織られたシートと柔軟な接着剤は、暴風の衝撃の下で伸びることが可能であり、それにより少なくとも１つの壁の崩壊を削減して爆風の際に壁中に窓枠をしっかり留めて、壁および窓枠からの断片が爆風によって構造の内部中に放り入れられることを防ぐ。
【０００８】
米国特許第6,212,840号のシステムは、窓のみの保護に限定されており、大規模な爆風イベント（例えば、１０００ｐｓｉ．ｍｓｅｃ）の場合に保護を提供することができない。このシステムは、細長い部材を通して配送された大量のエネルギー衝撃を吸収することができるエネルギー吸収ユニットからなっていない。この特許の図６に見られるように、６５ｓｉ．ｍｓｅｃの比較的弱い衝撃をもった爆風イベントが、システムをずらしそれを分解する。しかも、このシステムもまた調節可能ではなく、従って壁および／または窓のあらゆる既存のエリアに保護を提供することができない。
【０００９】
暴風および弾道保護された壁をもち、爆風および／または弾道攻撃のエネルギーを吸収し得るエネルギー吸収ユニットをもった軽量の建物構築物を提供することが望ましいであろう。この建物構築物はまた、建物構築物（例えば、折り畳み可能な部分をもった、携帯可能な、等）を構築することに習熟していない人によるあらゆる予め選択された位置での構築が容易であるべきであり、好ましくは標準的で単純な建物構築物の外観を有する。しかも、この建物構築物はまた、再配置可能であり、搬送可能であり、携帯可能であり、恒久的であり、特定の構築物に固定され、モジュール型であり、素人による構築が容易であり、勿論爆風および／または弾道保護されているべきである。しかも、大量の爆風衝撃に対して安定である軽量で設置が容易な爆風保護システムを提供することが望ましいであろう。このシステムは、習熟していない人員によるあらゆる予め選択された位置での設置が容易であるべきである。しかも、このシステムは、あらゆるサイズの（例えば、およそ１００ｃｍとおよそ１０ｍの間の高さによって特徴付けられた）あらゆる既存の壁に保護を提供するために様々な寸法に調節可能であるべきである。更には、このシステムはまた、信頼性があり、再配置可能であり、置き換え可能であり、アップグレード可能であり、搬送可能であり、軽量で、モジュール型で、勿論爆風および弾道保護されているべきである。
【発明の概要】
【００１０】
爆風保護のための爆風保護されたユニットを開示することが本発明の１つの目的である。爆風保護されたユニットは、
ａ．第１のサイドと第２のサイドを有する保護パネルと、
ｂ．保護パネルに外接するように適応されたサブフレームと、
ｃ．サブフレームを保護パネルに接続するように適応された複数のエネルギー吸収ユニットであって、エネルギー吸収ユニットの各々は第１の端部と第２の端部を有し、爆風保護されたユニットが形成されるように、エネルギー吸収ユニットの各々の第１の端部は保護パネルに接続可能であり、エネルギー吸収ユニットの各々の第２の端部はサブフレームに接続可能であり、エネルギー吸収ユニットは保護パネルの第１のサイドに対して印加された爆風力の下で変形するように構成され、保護パネルがサブフレームから離れるように動くことおよびサブフレームの近傍に留まることを許容するものと、
からなる。
【００１１】
爆風保護されたユニットは、建物構造に接続されるように適応されて建物構造の内部部分に爆風からの保護が提供されるようになっており、内部部分は保護パネルの第２のサイドに位置している、ことは本発明の範囲内である。
【００１２】
上に規定した通りの爆風保護されたユニットで、建物構造は、少なくとも１つの開口部が形成されるようにお互いと機械的に接続された複数のシャフトを有する枠組であり、爆風保護されたユニットは、少なくとも１つの開口部にフィットされ、設置され、接続されるように適応されているもの、を開示することが本発明の別の目的である。
【００１３】
上に規定した通りの爆風保護されたユニットで、爆風保護されたユニットは、建物構造または枠組の壁、天井または床を置き換えるように適応されているもの、を開示することが本発明の別の目的である。
【００１４】
上に規定した通りの爆風保護されたユニットで、枠組は、（ｉ）枠組が搬送可能である折り畳まれた構成と、（ｉｉ）枠組が動作的な位置に配置される展開された構成、の２つの構成に構成可能であるもの、を開示することが本発明の別の目的である。
【００１５】
上に規定した通りの爆風保護されたユニットで、爆風後の変形された状態にあるエネルギー吸収ユニットをもった爆風保護されたユニットは、追加の爆風からの保護を建物構造の内部部分に提供すべく置き換え可能であるもの、を開示することが本発明の別の目的である。
【００１６】
上に規定した通りの爆風保護されたユニットで、爆風保護されたユニットは、建物構造が位置しているあらゆる予め選択された位置において爆風からの保護を提供するように適応されているもの、を開示することが本発明の別の目的である。
【００１７】
上に規定した通りの爆風保護されたユニットで、エネルギー吸収ユニットは、通常の保護されていない爆風保護されたユニットの外観を提供すべく、隠されたやり方でパネルとサブフレームの間に配置されるように適応されているもの、を開示することが本発明の別の目的である。
【００１８】
上に規定した通りの爆風保護されたユニットで、隠されたやり方は、爆風からの保護を提供する爆風保護されたユニットの能力を外部観察者から隠すように適応されているもの、を開示することが本発明の別の目的である。
【００１９】
上に規定した通りの爆風保護されたユニットで、爆風保護されたユニットは、（ｉ）爆風保護されたユニットが搬送可能である、分解された構成と、（ｉｉ）爆風保護されたユニットが建物構造に接続される、組み立てられた構成、の少なくとも２つの構成に構成可能であるもの、を開示することが本発明の別の目的である。
【００２０】
上に規定した通りの爆風保護されたユニットで、建物構造は、複数の爆風保護されたユニットで保護されるように適応されているもの、を開示することが本発明の別の目的である。
【００２１】
上に規定した通りの爆風保護されたユニットで、爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有するもの、を開示することが本発明の別の目的である。
【００２２】
上に規定した通りの爆風保護されたユニットで、爆風保護されたユニットは更に、風、竜巻、台風、地震、天候関連条件、弾道攻撃、あらゆる押圧力、またはそれらのあらゆる組み合わせ、からなるグループから選択された要因から建物構造を保護するように適応されているもの、を開示することが本発明の別の目的である。
【００２３】
上に規定した通りの爆風保護されたユニットで、パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られているもの、を開示することが本発明の別の目的である。
【００２４】
上に規定した通りの爆風保護されたユニットで、パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられているもの、を開示することが本発明の別の目的である。
【００２５】
上に規定した通りの爆風保護されたユニットで、パネルは、爆風の場合に破片が建物構造中に投射されることを防ぐように適応された抗破片層を含むもの、を開示することが本発明の別の目的である。
【００２６】
上に規定した通りの爆風保護されたユニットで、パネルは、建物構造内の内容物に弾道保護を提供するように適応された弾道層を含むもの、を開示することが本発明の別の目的である。
【００２７】
上に規定した通りの爆風保護されたユニットで、サブフレームは抗破片層または弾道層を保持するように適応されているもの、を開示することが本発明の別の目的である。
【００２８】
上に規定した通りの爆風保護されたユニットで、サブフレームは、ねじ手段またはあらゆる留め具手段を介して建物構造に接続可能であるもの、を開示することが本発明の別の目的である。
【００２９】
上に規定した通りの爆風保護されたユニットで、建物構造は、コンテナ、キャラバン、壁付き恒久構造、枠組、オフィス、工業設備、ホテル、住居、大使館、およびそれらのあらゆる組み合わせ、からなるグループから選択されているもの、を開示することが本発明の別の目的である。
【００３０】
上に規定した通りの爆風保護されたユニットで、爆風保護されたユニットは、建物構造の壁、天井または床に接続可能であるもの、を開示することが本発明の別の目的である。
【００３１】
上に規定した通りの爆風保護されたユニットで、爆風保護されたユニットは、枠無し構造を提供すべく少なくとも１つの別の爆風保護されたユニットに接続可能であり、爆風保護されたユニット間の接続は、爆風保護されたユニットのサブフレームのお互いとの機械的接続によって提供されるもの、を開示することが本発明の別の目的である。
【００３２】
上に規定した通りの爆風保護されたユニットで、爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【００３３】
上に規定した通りの爆風保護されたユニットで、エネルギー吸収ユニットは、複数回の爆風に耐えるように構成されているもの、を開示することが本発明の別の目的である。
【００３４】
上に規定した通りの爆風保護されたユニットで、爆風保護されたユニットは、建物構造上への弾道攻撃の衝撃を少なくとも部分的に緩和するように適応された事前に起爆するユニットとして使われるように適応されており、爆風保護されたユニットは、建物構造から予め決められた距離において少なくとも１つの接続シャフトを介して建物構造に接続可能であるもの、を開示することが本発明の別の目的である。
【００３５】
上に規定した通りの爆風保護されたユニットで、パネルは、建物構造の崩壊または損傷を防ぐべく、予め決められたレベルの爆風が起こる時にサブフレームから離脱するように適応されているもの、を開示することが本発明の別の目的である。
【００３６】
上に規定した通りの爆風保護されたユニットで、建物構築物は更に、それに接続された少なくとも１つの爆風保護システムを含むもの、を開示することが本発明の別の目的である。
【００３７】
上に規定した通りの爆風保護されたユニットで、爆風保護されたユニットは、建物構造の外部部分または開口部に接続されるように適応されているもの、を開示することが本発明の別の目的である。
【００３８】
爆風保護のための建物構築物を開示することが本発明の別の目的である。建物構築物は、
ａ．少なくとも１つの開口部を有する建物構造と、
ｂ．少なくとも１つの爆風保護されたユニットであって、
ｉ．第１のサイドと第２のサイドを有する保護パネルと、
ｉｉ．保護パネルに外接するように適応されたサブフレームであって、サブフレームは開口部の少なくとも１つにフィットされるように適応されているものと、
ｉｉｉ．サブフレームを保護パネルに接続するように適応された複数のエネルギー吸収ユニットであって、エネルギー吸収ユニットの各々は第１の端部と第２の端部を有し、爆風保護されたユニットが形成されるように、エネルギー吸収ユニットの各々の第１の端部は保護パネルに接続可能であり、エネルギー吸収ユニットの各々の第２の端部はサブフレームに接続可能であり、エネルギー吸収ユニットは保護パネルの第１のサイドに対して印加された爆風力の下で変形するように構成され、保護パネルがサブフレームから離れるように動くことおよびサブフレームの近傍に留まることを許容するものと、
からなる。
【００３９】
少なくとも１つの爆風保護されたユニットは、開口部の少なくとも１つに据え付けられ接続されるように適応されて建物構造の内部部分に爆風からの保護が提供されるようになっており、内部部分は保護パネルの第２のサイドに位置している、ことは本発明の範囲内である。
【００４０】
上に規定した通りの建物構築物で、建物構造は、開口部が形成されるようにお互いと機械的に接続された複数のシャフトを有する枠組であるもの、を開示することが本発明の別の目的である。
【００４１】
上に規定した通りの建物構築物で、爆風保護されたユニットは、建物構造または枠組の壁、天井または床を置き換えるように適応されているもの、を開示することが本発明の別の目的である。
【００４２】
上に規定した通りの建物構築物で、枠組は、（ｉ）枠組が搬送可能である折り畳まれた構成と、（ｉｉ）枠組が動作的な位置に配置される展開された構成、の２つの構成に構成可能であるもの、を開示することが本発明の別の目的である。
【００４３】
上に規定した通りの建物構築物で、爆風後の変形された状態にあるエネルギー吸収ユニットをもった少なくとも１つの爆風保護されたユニットは、追加の爆風からの保護を建物構造の内部部分に提供すべく置き換え可能であるもの、を開示することが本発明の別の目的である。
【００４４】
上に規定した通りの建物構築物で、少なくとも１つの爆風保護されたユニットは、建物構造が位置しているあらゆる予め選択された位置において爆風からの保護を提供するように適応されているもの、を開示することが本発明の別の目的である。
【００４５】
上に規定した通りの建物構築物で、エネルギー吸収ユニットは、通常の保護されていない爆風保護されたユニットの外観を提供すべく、隠されたやり方でパネルとサブフレームの間に配置されるように適応されているもの、を開示することが本発明の別の目的である。
【００４６】
上に規定した通りの建物構築物で、隠されたやり方は、爆風からの保護を提供する爆風保護されたユニットの能力を外部観察者から隠すように適応されているもの、を開示することが本発明の別の目的である。
【００４７】
上に規定した通りの建物構築物で、少なくとも１つの爆風保護されたユニットは、（ｉ）爆風保護されたユニットが搬送可能である、分解された構成と、（ｉｉ）爆風保護されたユニットが建物構造に接続される、組み立てられた構成、の少なくとも２つの構成に構成可能であるもの、を開示することが本発明の別の目的である。
【００４８】
上に規定した通りの建物構築物で、建物構造は、複数の爆風保護されたユニットで保護されるように適応されているもの、を開示することが本発明の別の目的である。
【００４９】
上に規定した通りの建物構築物で、少なくとも１つの爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有するもの、を開示することが本発明の別の目的である。
【００５０】
上に規定した通りの建物構築物で、少なくとも１つの爆風保護されたユニットは更に、風、竜巻、台風、地震、天候関連条件、弾道攻撃、あらゆる押圧力、またはそれらのあらゆる組み合わせ、からなるグループから選択された要因から建物構造を保護するように適応されているもの、を開示することが本発明の別の目的である。
【００５１】
上に規定した通りの建物構築物で、パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られているもの、を開示することが本発明の別の目的である。
【００５２】
上に規定した通りの建物構築物で、パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられているもの、を開示することが本発明の別の目的である。
【００５３】
上に規定した通りの建物構築物で、パネルは、爆風の場合に破片が建物構造中に投射されることを防ぐように適応された抗破片層を含むもの、を開示することが本発明の別の目的である。
【００５４】
上に規定した通りの建物構築物で、パネルは、建物構造内の内容物に弾道保護を提供するように適応された弾道層を含むもの、を開示することが本発明の別の目的である。
【００５５】
上に規定した通りの建物構築物で、サブフレームは抗破片層または弾道層を保持するように適応されているもの、を開示することが本発明の別の目的である。
【００５６】
上に規定した通りの建物構築物で、サブフレームは、ねじ手段またはあらゆる留め具手段を介して建物構造に接続可能であるもの、を開示することが本発明の別の目的である。
【００５７】
上に規定した通りの建物構築物で、建物構造は、コンテナ、キャラバン、壁付き恒久構造、枠組、オフィス、工業設備、ホテル、住居、大使館、およびそれらのあらゆる組み合わせ、からなるグループから選択されているもの、を開示することが本発明の別の目的である。
【００５８】
上に規定した通りの建物構築物で、少なくとも１つの爆風保護されたユニットは、建物構造の壁、天井または床に接続可能であるもの、を開示することが本発明の別の目的である。
【００５９】
上に規定した通りの建物構築物で、少なくとも１つの爆風保護されたユニットは、枠無し構造を提供すべく別の少なくとも１つの爆風保護されたユニットに接続可能であり、爆風保護されたユニット間の接続は、爆風保護されたユニットのサブフレームのお互いとの機械的接続によって提供されるもの、を開示することが本発明の別の目的である。
【００６０】
上に規定した通りの建物構築物で、爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【００６１】
上に規定した通りの建物構築物で、エネルギー吸収ユニットは、複数回の爆風に耐えるように構成されているもの、を開示することが本発明の別の目的である。
【００６２】
上に規定した通りの建物構築物で、少なくとも１つの爆風保護されたユニットは、建物構造上への弾道攻撃の衝撃を少なくとも部分的に緩和するように適応された事前に起爆するユニットとして使われるように適応されており、爆風保護されたユニットは、建物構造から予め決められた距離において少なくとも１つの接続シャフトを介して建物構造に接続可能であるもの、を開示することが本発明の別の目的である。
【００６３】
上に規定した通りの建物構築物で、パネルは、建物構造の崩壊または損傷を防ぐべく、予め決められたレベルの爆風が起こる時にサブフレームから離脱するように適応されているもの、を開示することが本発明の別の目的である。
【００６４】
上に規定した通りの建物構築物で、建物構築物は更に、それに接続された少なくとも１つの爆風保護システムを含むもの、を開示することが本発明の別の目的である。
【００６５】
上に規定した通りの建物構築物で、爆風保護されたユニットは、建物構造の外部部分または開口部に接続されるように適応されているもの、を開示することが本発明の別の目的である。
【００６６】
爆風保護のための枠無し構造を開示することが本発明の別の目的である。枠無し構造は複数の爆風保護されたユニットからなり、爆風保護されたユニットの各々は、
ａ．第１のサイドと第２のサイドを有する保護パネルと、
ｂ．保護パネルに外接するように適応されたサブフレームと、
ｃ．サブフレームを保護パネルに接続するように適応された複数のエネルギー吸収ユニットであって、エネルギー吸収ユニットの各々は第１の端部と第２の端部を有し、爆風保護されたユニットが形成されるように、エネルギー吸収ユニットの各々の第１の端部は保護パネルに接続可能であり、エネルギー吸収ユニットの各々の第２の端部はサブフレームに接続可能であり、エネルギー吸収ユニットは保護パネルの第１のサイドに対して印加された爆風力の下で変形するように構成され、保護パネルがサブフレームから離れるように動くことおよびサブフレームの近傍に留まることを許容するものと、
からなる。
【００６７】
爆風保護されたユニットは、枠無し構造の内部部分が爆風から保護されるように、枠無し構造を提供すべくお互いに接続されるように適応されており、内部部分は保護パネルの第２のサイドに位置している、ことは本発明の範囲内である。
【００６８】
上に規定した通りの枠無し構造で、爆風保護されたユニットは、建物構造または枠組の壁、天井または床を置き換えるように適応されているもの、を開示することが本発明の別の目的である。
【００６９】
上に規定した通りの枠無し構造で、爆風後の変形された状態にあるエネルギー吸収ユニットをもった少なくとも１つの爆風保護されたユニットは、追加の爆風からの保護を建物構造の内部部分に提供すべく置き換え可能であるもの、を開示することが本発明の別の目的である。
【００７０】
上に規定した通りの枠無し構造で、爆風保護されたユニットは、建物構造が位置しているあらゆる予め選択された位置において爆風からの保護を提供するように適応されているもの、を開示することが本発明の別の目的である。
【００７１】
上に規定した通りの枠無し構造で、エネルギー吸収ユニットは、通常の保護されていない爆風保護されたユニットの外観を提供すべく、隠されたやり方でパネルとサブフレームの間に配置されるように適応されているもの、を開示することが本発明の別の目的である。
【００７２】
上に規定した通りの枠無し構造で、隠されたやり方は、爆風からの保護を提供する爆風保護されたユニットの能力を外部観察者から隠すように適応されているもの、を開示することが本発明の別の目的である。
【００７３】
上に規定した通りの枠無し構造で、爆風保護されたユニットは、（ｉ）爆風保護されたユニットが搬送可能である、分解された構成と、（ｉｉ）爆風保護されたユニットがお互いに接続される、組み立てられた構成、の少なくとも２つの構成に構成可能であるもの、を開示することが本発明の別の目的である。
【００７４】
上に規定した通りの枠無し構造で、爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有するもの、を開示することが本発明の別の目的である。
【００７５】
上に規定した通りの枠無し構造で、爆風保護されたユニットは更に、風、竜巻、台風、地震、天候関連条件、弾道攻撃、あらゆる押圧力、またはそれらのあらゆる組み合わせ、からなるグループから選択された要因から建物構造を保護するように適応されているもの、を開示することが本発明の別の目的である。
【００７６】
上に規定した通りの枠無し構造で、パネルは、フェノール発泡体、ポリウレア発泡体、ガラスファイバー、カーボンファイバー、アラミドファイバー、ポリスチレン、ポリエチレンファイバー、プラスチック発泡体、岩綿、複合材料、軽量建物材料、およびそれらのあらゆる組み合わせ、からなるグループから選択された少なくとも１つの材料で作られているもの、を開示することが本発明の別の目的である。
【００７７】
上に規定した通りの枠無し構造で、パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられているもの、を開示することが本発明の別の目的である。
【００７８】
上に規定した通りの枠無し構造で、パネルは、爆風の場合に破片が枠無し構造中に投射されることを防ぐように適応された抗破片層を含むもの、を開示することが本発明の別の目的である。
【００７９】
上に規定した通りの枠無し構造で、パネルは、枠無し構造内の内容物に弾道保護を提供するように適応された弾道層を含むもの、を開示することが本発明の別の目的である。
【００８０】
上に規定した通りの枠無し構造で、サブフレームは抗破片層または弾道層を保持するように適応されているもの、を開示することが本発明の別の目的である。
【００８１】
上に規定した通りの枠無し構造で、サブフレームは、ねじ手段またはあらゆる留め具手段を介して建物構造に接続可能であるもの、を開示することが本発明の別の目的である。
【００８２】
上に規定した通りの枠無し構造で、建物構造は、コンテナ、キャラバン、壁付き恒久構造、枠組、オフィス、工業設備、ホテル、住居、大使館、およびそれらのあらゆる組み合わせ、からなるグループから選択されているもの、を開示することが本発明の別の目的である。
【００８３】
上に規定した通りの枠無し構造で、爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【００８４】
上に規定した通りの枠無し構造で、エネルギー吸収ユニットは、複数回の爆風に耐えるように構成されているもの、を開示することが本発明の別の目的である。
【００８５】
上に規定した通りの枠無し構造で、少なくとも１つの爆風保護されたユニットは、枠無し構造上への弾道攻撃の衝撃を少なくとも部分的に緩和するように適応された事前に起爆するユニットとして使われるように適応されており、追加の爆風保護されたユニットは、建物構造から予め決められた距離において少なくとも１つの接続シャフトを介して建物構造に接続可能であるもの、を開示することが本発明の別の目的である。
【００８６】
上に規定した通りの枠無し構造で、パネルは、枠無し構造の崩壊または損傷を防ぐべく、予め決められたレベルの爆風が起こる時にサブフレームから離脱するように適応されているもの、を開示することが本発明の別の目的である。
【００８７】
上に規定した通りの枠無し構造で、枠無し構造は更に、それに接続された少なくとも１つの爆風保護システムを含むもの、を開示することが本発明の別の目的である。
【００８８】
建物構造の内部の保護のための爆風保護システムを開示することが本発明の別の目的である。爆風保護システムは、
ａ．建物構造に接続されるように適応された第1および第２のエネルギー吸収ユニットと、
ｂ．第1および第２の端部を有する複数の間隔を空けられた細長いエレメントであって、細長いエレメントの各第１の端部は第１のエネルギー吸収ユニットに機械的に接続可能であり、細長いエレメントの各第２の端部は第２のエネルギー吸収ユニットに機械的に接続可能であるものと、
ｃ．第１および第２のエネルギー吸収ユニットに機械的に接続可能な少なくとも１つの保護層と、
からなる。
【００８９】
エネルギー吸収ユニットは、爆風によって作り出されたエネルギーが細長いエレメントを介してエネルギー吸収ユニットによって少なくとも部分的に吸収されるように、細長いエレメントと少なくとも１つの保護層に対して印加された力の下で変形するように構成されている、ことは本発明の範囲内である。
【００９０】
上に規定した通りの爆風保護システムで、細長いエレメントと少なくとも１つの保護層は、建物構造の一部分の寸法にフィットするように寸法的に調節可能であるもの、を開示することが本発明の別の目的である。
【００９１】
上に規定した通りの爆風保護システムで、システムの寸法は、第１および第２のエネルギー吸収ユニットの間の距離であるもの、を開示することが本発明の別の目的である。
【００９２】
上に規定した通りの爆風保護システムで、距離は、およそ１００ｃｍとおよそ１０ｍの間であるもの、を開示することが本発明の別の目的である。
【００９３】
上に規定した通りの爆風保護システムで、少なくとも１つの保護層の寸法は、細長くすることの可能性、引き伸ばし可能性、弾性、拡張可能性、拡大可能性、巻き上げられた状態で提供された時の広げられる能力、切断、スライシング、またはそれらのあらゆる組み合わせ、からなるグループから選択された特性によって調節可能であるもの、を開示することが本発明の別の目的である。
【００９４】
上に規定した通りの爆風保護システムで、システムは、建物構造の一部分の前でかつそれに実質的に隣接して設置されるように適応されているもの、を開示することが本発明の別の目的である。
【００９５】
上に規定した通りの爆風保護システムで、爆風保護システムは、第１および第２のエネルギー吸収ユニットの間の距離を壁の高さに調節し、壁の幅全体を覆うように爆風保護システムの少なくとも１つの保護層を設置することによって、壁の面積全体を覆うように適応されているもの、を開示することが本発明の別の目的である。
【００９６】
上に規定した通りの爆風保護システムで、建物構造の一部分は、壁、床、天井、およびそれらのあらゆる組み合わせ、からなるグループから選択されているもの、を開示することが本発明の別の目的である。
【００９７】
上に規定した通りの爆風保護システムで、建物構造は、部屋、建物構築物、ロッジ、家、キャビン、キャラバン、車両、枠組、またはそれらのあらゆる組み合わせ、からなるグループから選択されているもの、を開示することが本発明の別の目的である。
【００９８】
上に規定した通りの爆風保護システムで、第１のエネルギー吸収ユニットは、建物構造の天井に接続されるように適応されており、第２のエネルギー吸収ユニットは、建物構造の床に接続されるように適応されているもの、を開示することが本発明の別の目的である。
【００９９】
上に規定した通りの爆風保護システムで、少なくとも１つの保護層は、爆風の場合に破片が構造中に投射されることを防ぐための抗破片層を含むもの、を開示することが本発明の別の目的である。
【０１００】
上に規定した通りの爆風保護システムで、少なくとも１つの保護層は、構造内の内容物に弾道保護を提供するための弾道層を含むもの、を開示することが本発明の別の目的である。
【０１０１】
上に規定した通りの爆風保護システムで、少なくとも１つの保護層は、抗破片層と弾道層の２つの保護層を含むもの、を開示することが本発明の別の目的である。
【０１０２】
上に規定した通りの爆風保護システムで、少なくとも１つの保護層は、保護パネルを含むもの、を開示することが本発明の別の目的である。
【０１０３】
上に規定した通りの爆風保護システムで、少なくとも１つの保護層は、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料で作られているもの、を開示することが本発明の別の目的である。
【０１０４】
上に規定した通りの爆風保護システムで、少なくとも１つの保護層は、液体隔離、水分隔離、騒音隔離、熱的隔離、防火、弾道保護性質をもった、可撓性、エネルギー吸収性、軽量、事前に製作された、可変な硬度、弾力性、半透明、またはそれらのあらゆる組み合わせ、からなるグループから選択された特性によって特徴付けられた材料で作られているもの、を開示することが本発明の別の目的である。
【０１０５】
上に規定した通りの爆風保護システムで、細長いエレメントは、細長くすることの可能性、引き伸ばし可能性、拡張可能性、拡大可能性、伸縮可能性、非弾性、またはそれらのあらゆる組み合わせ、からなるグループから選択された特性によって特徴付けられているもの、を開示することが本発明の別の目的である。
【０１０６】
上に規定した通りの爆風保護システムで、細長いエレメントは、棒、パイプ、バー、メッシュ、シャフト、スティック、ケーブル、コード、ロープ、紐、ワイヤ、糸、またはそれらのあらゆる組み合わせ、からなるグループから選択されているもの、を開示することが本発明の別の目的である。
【０１０７】
上に規定した通りの爆風保護システムで、第１および第２のエネルギー吸収ユニットは、第１と第２の接続プロファイルの間に位置するエネルギー吸収サブユニットのアレイを含み、第１の接続プロファイルはエネルギー吸収サブユニットを細長いエレメントと少なくとも１つの保護層と相互接続するように適応されており、第２の接続プロファイルはエネルギー吸収サブユニットを構造と相互接続するように適応されているもの、を開示することが本発明の別の目的である。
【０１０８】
上に規定した通りの爆風保護システムで、爆風保護システムは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【０１０９】
上に規定した通りの爆風保護システムで、爆風保護システムは、再配置可能、搬送可能、携帯可能、構築物に固定された、モジュール型、設置が容易、キット状、巻き上げられたキット中に設けられた、置き換え可能、アップグレード可能、拡張可能、素早く配備可能、素人による設置が簡単、軽量、爆風保護された、爆風および弾道保護された、またはそれらのあらゆる組み合わせ、からなるグループから選択された特性を有するもの、を開示することが本発明の別の目的である。
【０１１０】
上に規定した通りの爆風保護システムで、第１および第２のエネルギー吸収ユニットは、ねじ手段またはあらゆる都合の良い留め具手段を介して建物構造に接続可能であるもの、を開示することが本発明の別の目的である。
【０１１１】
上に規定した通りの爆風保護システムで、エネルギー吸収ユニットは、複数回の爆風に耐えるように構成されているもの、を開示することが本発明の別の目的である。
【０１１２】
上に規定した通りの爆風保護システムで、細長いエレメントはお互いと実質的に平行であるもの、を開示することが本発明の別の目的である。
【０１１３】
上に規定した通りの爆風保護システムで、細長いエレメントと少なくとも１つの保護層に対して印加された力は、風の力、竜巻が発生した力、台風が発生した力、地震によって発生された力、天候に関連した力、あらゆるその他の押圧力、またはそれらのあらゆる組み合わせ、からなるグループから少なくとも部分的に選択されているもの、を開示することが本発明の別の目的である。
【０１１４】
爆風保護された建物構築物を構築するための方法を開示することが本発明の別の目的である。方法は、
ａ．少なくとも１つの開口部を有する建物構造を提供するステップと、
ｂ．少なくとも１つの爆風保護されたユニットであって、（ｉ）第１のサイドと第２のサイドを有する保護パネルと、（ｉｉ）保護パネルに外接するように適応されたサブフレームであって、サブフレームは開口部の少なくとも１つにフィットされるように適応されているものと、（ｉｉｉ）サブフレームを保護パネルに接続するように適応された複数のエネルギー吸収ユニットであって、エネルギー吸収ユニットの各々は第１の端部と第２の端部を有し、爆風保護されたユニットが形成されるように、エネルギー吸収ユニットの各々の第１の端部は保護パネルに接続可能であり、エネルギー吸収ユニットの各々の第２の端部はサブフレームに接続可能であり、エネルギー吸収ユニットは保護パネルの第１のサイドに対して印加された爆風力の下で変形するように構成され、保護パネルがサブフレームから離れるように動くことおよびサブフレームの近傍に留まることを許容するものと、を含むものを提供するステップと、
ｃ．少なくとも１つの爆風保護されたユニットを、少なくとも１つの開口部内に置くステップと、
ｄ．少なくとも１つの爆風保護されたユニットを、少なくとも１つの開口部に接続し、それにより建物構造の内部部分に爆風からの保護を提供するステップと、
からなる。
【０１１５】
上に規定した通りの方法で、建物構造を、少なくとも１つの開口部が形成されるようにお互いと機械的に接続された複数のシャフトを有する枠組として提供するステップを更に含むもの、を開示することが本発明の別の目的である。
【０１１６】
上に規定した通りの方法で、爆風保護されたユニットは、建物構造または枠組の壁、天井または床を置き換えるように適応されているもの、を開示することが本発明の別の目的である。
【０１１７】
上に規定した通りの方法で、建物構造を、（ｉ）建物構造が搬送可能である折り畳まれた構成と、（ｉｉ）建物構造が動作的な位置に配置される展開された構成、の２つの構成に再構成するステップを更に含むもの、を開示することが本発明の別の目的である。
【０１１８】
上に規定した通りの方法で、爆風後の少なくとも１つの爆風保護されたユニットを置き換え、それにより追加の爆風からの保護を建物構造の内部部分に提供するステップと更に含むもの、を開示することが本発明の別の目的である。
【０１１９】
上に規定した通りの方法で、建物構造をあらゆる予め選択された位置に置き、それにより予め選択された位置において爆風からの保護を提供するステップを更に含むもの、を開示することが本発明の別の目的である。
【０１２０】
上に規定した通りの方法で、エネルギー吸収ユニットを、隠されたやり方でパネルとサブフレームの間に配置し、それにより通常の保護されていない爆風保護されたユニットの外観を提供するステップを更に含むもの、を開示することが本発明の別の目的である。
【０１２１】
上に規定した通りの方法で、隠されたやり方は、爆風からの保護を提供する爆風保護されたユニットの能力を外部観察者から隠すように適応されているもの、を開示することが本発明の別の目的である。
【０１２２】
上に規定した通りの方法で、爆風保護されたユニットを、（ｉ）爆風保護されたユニットが搬送可能である、分解された構成と、（ｉｉ）爆風保護されたユニットが建物構造に接続される、組み立てられた構成、の少なくとも２つの構成に構成するステップを更に含むもの、を開示することが本発明の別の目的である。
【０１２３】
上に規定した通りの方法で、建物構造を、複数の爆風保護されたユニットで保護するステップを更に含むもの、を開示することが本発明の別の目的である。
【０１２４】
上に規定した通りの方法で、少なくとも１つの爆風保護されたユニットは、再配置可能、搬送可能、携帯可能、恒久的、特定の構築物に固定された、モジュール型、構築が容易、キット状、拡張可能、素早く配備可能、軽量、置き換え可能、アップグレード可能、爆風保護された、爆風および弾道保護された、またはそれらのあらゆる組み合わせ、からなるグループから選択された特性を有するもの、を開示することが本発明の別の目的である。
【０１２５】
上に規定した通りの方法で、少なくとも１つの爆風保護されたユニットは更に、風、竜巻、台風、地震、天候関連条件、弾道攻撃、あらゆる押圧力、またはそれらのあらゆる組み合わせ、からなるグループから選択された要因から建物構造を保護するように適応されているもの、を開示することが本発明の別の目的である。
【０１２６】
上に規定した通りの方法で、パネルを、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された材料で作るステップを更に含むもの、を開示することが本発明の別の目的である。
【０１２７】
上に規定した通りの方法で、パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられているもの、を開示することが本発明の別の目的である。
【０１２８】
上に規定した通りの方法で、パネルに、爆風の場合に破片が建物構造中に投射されることを防ぐように適応された抗破片層を設けるステップを更に含むもの、を開示することが本発明の別の目的である。
【０１２９】
上に規定した通りの方法で、パネルに、建物構造内の内容物に弾道保護を提供するように適応された弾道層を設けるステップを更に含むもの、を開示することが本発明の別の目的である。
【０１３０】
上に規定した通りの方法で、サブフレームを介して抗破片層または弾道層を保持するステップを更に含むもの、を開示することが本発明の別の目的である。
【０１３１】
上に規定した通りの方法で、少なくとも１つの爆風保護されたユニットを少なくとも１つの開口部に接続するステップは、ねじ手段またはあらゆる留め具手段を介して行われるもの、を開示することが本発明の別の目的である。
【０１３２】
上に規定した通りの方法で、建物構造を、コンテナ、キャラバン、壁付き恒久構造、枠組、オフィス、工業設備、ホテル、住居、大使館、およびそれらのあらゆる組み合わせ、からなるグループから選択するステップを更に含むもの、を開示することが本発明の別の目的である。
【０１３３】
上に規定した通りの方法で、少なくとも１つの爆風保護されたユニットは、建物構造の壁、天井または床に接続可能であるもの、を開示することが本発明の別の目的である。
【０１３４】
上に規定した通りの方法で、少なくとも１つの爆風保護されたユニットを、別の少なくとも１つの爆風保護されたユニットに接続し、それにより枠無し構造を提供し、爆風保護されたユニット間の接続は、爆風保護されたユニットのサブフレームのお互いとの機械的接続によって提供されるもの、を開示することが本発明の別の目的である。
【０１３５】
上に規定した通りの方法で、爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【０１３６】
上に規定した通りの方法で、エネルギー吸収ユニットは、複数回の爆風に耐えるように構成されているもの、を開示することが本発明の別の目的である。
【０１３７】
上に規定した通りの方法で、少なくとも１つの爆風保護されたユニットは、建物構造上への弾道攻撃の衝撃を少なくとも部分的に緩和するように適応された事前に起爆するユニットとして使われるように適応されており、爆風保護されたユニットは、建物構造から予め決められた距離において少なくとも１つの接続シャフトを介して建物構造に接続可能であるもの、を開示することが本発明の別の目的である。
【０１３８】
上に規定した通りの方法で、パネルは、建物構造の崩壊または損傷を防ぐべく、予め決められたレベルの爆風が起こる時にサブフレームから離脱するように適応されているもの、を開示することが本発明の別の目的である。
【０１３９】
上に規定した通りの方法で、建物構築物は更に、それに接続された少なくとも1つの爆風保護システムを含むもの、を開示することが本発明の別の目的である。
【０１４０】
上に規定した通りの方法で、爆風保護されたユニットは、建物構造の外部部分または開口部に接続されるように適応されているもの、を開示することが本発明の別の目的である。
【０１４１】
上に規定した通りの方法で、建物構造を活動の舞台に配備し、それにより爆風からの保護を予め決められた物体に提供するステップを更に含むもの、を開示することが本発明の別の目的である。
【０１４２】
上に規定した通りの方法で、物体は、軍隊、警察隊、兵士、応急手当要員、報道要員、軍事設備、電子設備、またはそれらのあらゆる組み合わせ、からなるグループから選択されているもの、を開示することが本発明の別の目的である。
【０１４３】
上に規定した通りの方法で、活動の舞台は、敵意のある環境、戦場、都市、村、山岳エリア中、またはそれらのあらゆる組み合わせ、からなるグループから選択されているもの、を開示することが本発明の別の目的である。
【０１４４】
上に規定した通りの方法で、建物構造は、およそ１０分とおよそ２時間の間の時間中に物体への保護を提供するために活動の舞台に配備されるように適応されているもの、を開示することが本発明の別の目的である。
【０１４５】
上に規定した通りの方法で、建物構築物を提供するステップは、飛行機、ジェット機、ヘリコプター、クレーン、またはそれらのあらゆる組み合わせ、からなるグループから選択された搬送手段を介して高い高度から行われるもの、を開示することが本発明の別の目的である。
【０１４６】
上に規定した通りの方法で、建物構築物を別の建物構築物に接続し、それにより拡大された建物構築物を構築するステップを更に含むもの、を開示することが本発明の別の目的である。
【０１４７】
建物構造に接続可能な爆風保護されたユニットを製造する方法であって、
ａ．第１のサイドと第２のサイドを有する保護パネルを提供するステップと、
ｂ．保護パネルに外接するように適応されたサブフレームを提供するステップと、
ｃ．複数のエネルギー吸収ユニットであって、エネルギー吸収ユニットの各々は第１の端部と第２の端部を有するものを提供するステップと、
ｄ．エネルギー吸収ユニットの各々の第１の端部を保護パネルに接続するステップと、
ｅ．エネルギー吸収ユニットの各々の第２の端部をサブフレームに接続し、それによりパネルをサブフレームに接続し、爆風保護されたユニットを提供するステップと、
からなる方法を開示することが本発明の別の目的である。
【０１４８】
上に規定した通りの建物構造に接続可能な爆風保護されたユニットを製造する方法で、エネルギー吸収ユニットは、保護パネルの第１のサイドに対して印加された爆風力の下で変形するように構成され、保護パネルがサブフレームから離れるように動くことおよびサブフレームの近傍に留まることを許容するもの、を開示することが本発明の別の目的である。
【０１４９】
上に規定した通りの建物構造に接続可能な爆風保護されたユニットを製造する方法で、爆風保護されたユニットは、建物構造の内部部分に爆風からの保護が提供されるように、建物構造に接続されるように適応されており、内部部分は保護パネルの第２のサイドに位置しているもの、を開示することが本発明の別の目的である。
【０１５０】
上に規定した通りの建物構造に接続可能な爆風保護されたユニットを製造する方法で、爆風保護されたユニットは、建物構造が位置しているあらゆる予め選択された位置において爆風からの保護を提供するように適応されているもの、を開示することが本発明の別の目的である。
【０１５１】
上に規定した通りの建物構造に接続可能な爆風保護されたユニットを製造する方法で、エネルギー吸収ユニットは、通常の保護されていない爆風保護されたユニットの外観を提供すべく、隠されたやり方でパネルとサブフレームの間に配置されるように適応されているもの、を開示することが本発明の別の目的である。
【０１５２】
上に規定した通りの建物構造に接続可能な爆風保護されたユニットを製造する方法で、隠されたやり方は、爆風からの保護を提供する爆風保護されたユニットの能力を外部観察者から隠すように適応されているもの、を開示することが本発明の別の目的である。
【０１５３】
上に規定した通りの建物構造に接続可能な爆風保護されたユニットを製造する方法で、爆風保護されたユニットは、（ｉ）爆風保護されたユニットが搬送可能である、分解された構成と、（ｉｉ）爆風保護されたユニットが建物構造に接続される、組み立てられた構成、の少なくとも２つの構成に構成可能であるもの、を開示することが本発明の別の目的である。
【０１５４】
上に規定した通りの建物構造に接続可能な爆風保護されたユニットを製造する方法で、爆風保護されたユニットは更に、風、竜巻、台風、地震、天候関連条件、弾道攻撃、あらゆる押圧力、またはそれらのあらゆる組み合わせ、からなるグループから選択された要因から建物構造を保護するように適応されているもの、を開示することが本発明の別の目的である。
【０１５５】
上に規定した通りの建物構造に接続可能な爆風保護されたユニットを製造する方法で、パネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、軽量建物材料、およびそれらのあらゆる組み合わせ、からなるグループから選択された少なくとも１つの材料で作られているもの、を開示することが本発明の別の目的である。
【０１５６】
上に規定した通りの建物構造に接続可能な爆風保護されたユニットを製造する方法で、パネルは、液体隔離、水分隔離、騒音隔離、熱的隔離、防火、弾道保護性質をもった、可撓性、エネルギー吸収性、軽量、事前に製作された、可変な硬度、弾力性、およびそれらのあらゆる組み合わせ、からなるグループから選択された特性によって特徴付けられているもの、を開示することが本発明の別の目的である。
【０１５７】
上に規定した通りの建物構造に接続可能な爆風保護されたユニットを製造する方法で、パネルは、爆風の場合に破片が建物構造中に投射されることを防ぐように適応された抗破片層を含むもの、を開示することが本発明の別の目的である。
【０１５８】
上に規定した通りの建物構造に接続可能な爆風保護されたユニットを製造する方法で、パネルは、建物構造内の内容物に弾道保護を提供するように適応された弾道層を含むもの、を開示することが本発明の別の目的である。
【０１５９】
上に規定した通りの建物構造に接続可能な爆風保護されたユニットを製造する方法で、爆風保護されたユニットは、建物構造の壁、天井または床に接続可能であるもの、を開示することが本発明の別の目的である。
【０１６０】
上に規定した通りの建物構造に接続可能な爆風保護されたユニットを製造する方法で、爆風保護されたユニットは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【０１６１】
上に規定した通りの建物構造に接続可能な爆風保護されたユニットを製造する方法で、エネルギー吸収ユニットは、複数回の爆風に耐えるように構成されているもの、を開示することが本発明の別の目的である。
【０１６２】
上に規定した通りの建物構造に接続可能な爆風保護されたユニットを製造する方法で、爆風保護されたユニットは、建物構造上への弾道攻撃の衝撃を少なくとも部分的に緩和するように適応された事前に起爆するユニットとして使われるように適応されており、爆風保護されたユニットは、建物構造から予め決められた距離において少なくとも１つの接続シャフトを介して建物構造に接続可能であるもの、を開示することが本発明の別の目的である。
【０１６３】
上に規定した通りの建物構造に接続可能な爆風保護されたユニットを製造する方法で、パネルは、建物構造の崩壊または損傷を防ぐべく、予め決められたレベルの爆風が起こる時にサブフレームから離脱するように適応されているもの、を開示することが本発明の別の目的である。
【０１６４】
上に規定した通りの建物構造に接続可能な爆風保護されたユニットを製造する方法で、建物構造は更に、それに接続された少なくとも１つの爆風保護システムを含むもの、を開示することが本発明の別の目的である。
【０１６５】
上に規定した通りの建物構造に接続可能な爆風保護されたユニットを製造する方法で、爆風保護されたユニットは、建物構造の外部部分または開口部に接続されるように適応されているもの、を開示することが本発明の別の目的である。
【０１６６】
建物構造の内部を保護するための方法あって、
ａ．爆風保護システムであって、（ｉ）建物構造に接続されるように適応された第1および第２のエネルギー吸収ユニットと、（ｉｉ）第1および第２の端部を有する複数の間隔を空けられた細長いエレメントであって、細長いエレメントの各第１の端部は第１のエネルギー吸収ユニットに機械的に接続可能であり、細長いエレメントの各第２の端部は第２のエネルギー吸収ユニットに機械的に接続可能であるものと、（ｉｉｉ）第１および第２のエネルギー吸収ユニットに機械的に接続可能な少なくとも１つの保護層と、を含み、エネルギー吸収ユニットは、爆風によって作り出されたエネルギーが細長いエレメントを介してエネルギー吸収ユニットによって少なくとも部分的に吸収されるように、細長いエレメントと少なくとも１つの保護層に対して印加された力の下で変形するように構成されているものを提供するステップと、
ｂ．第１のエネルギー吸収ユニットを建物構造に接続するステップと、
ｃ．第２のエネルギー吸収ユニットを建物構造に接続するステップと、
ｄ．爆風保護システムによってカバーされたエリア中で建物構造に爆風からの保護を提供するステップと、
を含む方法。
【０１６７】
上に規定した通りの建物構造に接続可能な爆風保護されたユニットを製造する方法で、第２のエネルギー吸収ユニットを第１のエネルギー吸収ユニットから予め決められた距離まで引っ張り、それにより細長いエレメントと少なくとも１つの保護層の寸法を調節するステップを更に含むもの、を開示することが本発明の別の目的である。
【０１６８】
上に規定した通りの建物構造に接続可能な爆風保護されたユニットを製造する方法で、細長いエレメントと少なくとも１つの保護層は、建物構造の一部分の寸法にフィットするように寸法的に調節可能であるもの、を開示することが本発明の別の目的である。
【０１６９】
上に規定した通りの建物構造に接続可能な爆風保護されたユニットを製造する方法で、システムの寸法は、第１および第２のエネルギー吸収ユニットの間の距離であるもの、を開示することが本発明の別の目的である。
【０１７０】
上に規定した通りの建物構造に接続可能な爆風保護されたユニットを製造する方法で、距離は、およそ１００ｃｍとおよそ１０ｍの間であるもの、を開示することが本発明の別の目的である。
【０１７１】
上に規定した通りの建物構造に接続可能な爆風保護されたユニットを製造する方法で、少なくとも１つの保護層の寸法は、細長くすることの可能性、引き伸ばし可能性、弾性、拡張可能性、拡大可能性、巻き上げられた状態で提供された時の広げられる能力、切断、スライシング、またはそれらのあらゆる組み合わせ、からなるグループから選択された特性によって調節可能であるもの、を開示することが本発明の別の目的である。
【０１７２】
上に規定した通りの建物構造に接続可能な爆風保護されたユニットを製造する方法で、爆風保護システムは、建物構造の一部分の前でかつそれに実質的に隣接して設置されるように適応されているもの、を開示することが本発明の別の目的である。
【０１７３】
上に規定した通りの建物構造に接続可能な爆風保護されたユニットを製造する方法で、爆風保護システムは、第１および第２のエネルギー吸収ユニットの間の距離を壁の高さに調節し、壁の幅全体を覆うように爆風保護システムの少なくとも１つの保護層を設置することによって、壁の面積全体を覆うように適応されているもの、を開示することが本発明の別の目的である。
【０１７４】
上に規定した通りの建物構造に接続可能な爆風保護されたユニットを製造する方法で、建物構造の一部分は、壁、床、天井、およびそれらのあらゆる組み合わせ、からなるグループから選択されているもの、を開示することが本発明の別の目的である。
【０１７５】
上に規定した通りの建物構造に接続可能な爆風保護されたユニットを製造する方法で、第１のエネルギー吸収ユニットは、建物構造の天井に接続されるように適応されており、第２のエネルギー吸収ユニットは、建物構造の床に接続されるように適応されているもの、を開示することが本発明の別の目的である。
【０１７６】
上に規定した通りの建物構造に接続可能な爆風保護されたユニットを製造する方法で、少なくとも１つの保護層は、爆風の場合に破片が構造中に投射されることを防ぐための抗破片層を含むもの、を開示することが本発明の別の目的である。
【０１７７】
上に規定した通りの建物構造に接続可能な爆風保護されたユニットを製造する方法で、少なくとも１つの保護層は、構造内の内容物に弾道保護を提供するための弾道層を含むもの、を開示することが本発明の別の目的である。
【０１７８】
上に規定した通りの建物構造に接続可能な爆風保護されたユニットを製造する方法で、少なくとも１つの保護層は、抗破片層と弾道層の２つの保護層を含むもの、を開示することが本発明の別の目的である。
【０１７９】
上に規定した通りの建物構造に接続可能な爆風保護されたユニットを製造する方法で、少なくとも１つの保護層は、保護パネルを含むもの、を開示することが本発明の別の目的である。
【０１８０】
上に規定した通りの建物構造に接続可能な爆風保護されたユニットを製造する方法で、少なくとも１つの保護層は、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料で作られているもの、を開示することが本発明の別の目的である。
【０１８１】
上に規定した通りの建物構造に接続可能な爆風保護されたユニットを製造する方法で、少なくとも１つの保護層は、液体隔離、水分隔離、騒音隔離、熱的隔離、防火、弾道保護性質をもった、可撓性、エネルギー吸収性、軽量、事前に製作された、可変な硬度、弾力性、半透明、またはそれらのあらゆる組み合わせ、からなるグループから選択された特性によって特徴付けられた材料で作られているもの、を開示することが本発明の別の目的である。
【０１８２】
上に規定した通りの建物構造に接続可能な爆風保護されたユニットを製造する方法で、細長いエレメントは、細長くすることの可能性、引き伸ばし可能性、拡張可能性、拡大可能性、伸縮可能性、非弾性、またはそれらのあらゆる組み合わせ、からなるグループから選択された特性によって特徴付けられているもの、を開示することが本発明の別の目的である。
【０１８３】
上に規定した通りの建物構造に接続可能な爆風保護されたユニットを製造する方法で、細長いエレメントは、棒、パイプ、バー、メッシュ、シャフト、スティック、ケーブル、コード、ロープ、紐、ワイヤ、糸、またはそれらのあらゆる組み合わせ、からなるグループから選択されているもの、を開示することが本発明の別の目的である。
【０１８４】
上に規定した通りの建物構造に接続可能な爆風保護されたユニットを製造する方法で、第１および第２のエネルギー吸収ユニットは、第１と第２の接続プロファイルの間に位置するエネルギー吸収サブユニットのアレイを含み、第１の接続プロファイルはエネルギー吸収サブユニットを細長いエレメントと少なくとも１つの保護層と相互接続するように適応されており、第２の接続プロファイルはエネルギー吸収サブユニットを構造と相互接続するように適応されているもの、を開示することが本発明の別の目的である。
【０１８５】
上に規定した通りの建物構造に接続可能な爆風保護されたユニットを製造する方法で、爆風保護システムは、およそ５０ｐｓｉ．ｍｓｅｃからおよそ６００ｐｓｉ．ｍｓｅｃの間の爆風衝撃と、１５００ｐｓｉを超える爆風圧に対して安定であるもの、を開示することが本発明の別の目的である。
【０１８６】
上に規定した通りの建物構造に接続可能な爆風保護されたユニットを製造する方法で、爆風保護システムは、再配置可能、搬送可能、携帯可能、構築物に固定された、モジュール型、設置が容易、キット状、巻き上げられたキット中に設けられた、置き換え可能、アップグレード可能、拡張可能、素早く配備可能、素人による設置が簡単、軽量、爆風保護された、爆風および弾道保護された、またはそれらのあらゆる組み合わせ、からなるグループから選択された特性を有するもの、を開示することが本発明の別の目的である。
【０１８７】
上に規定した通りの建物構造に接続可能な爆風保護されたユニットを製造する方法で、第１および第２のエネルギー吸収ユニットは、ねじ手段またはあらゆる都合の良い留め具手段を介して建物構造に接続可能であるもの、を開示することが本発明の別の目的である。
【０１８８】
上に規定した通りの建物構造に接続可能な爆風保護されたユニットを製造する方法で、エネルギー吸収ユニットは、複数回の爆風に耐えるように構成されているもの、を開示することが本発明の別の目的である。
【０１８９】
上に規定した通りの建物構造に接続可能な爆風保護されたユニットを製造する方法で、細長いエレメントはお互いと実質的に平行であるもの、を開示することが本発明の別の目的である。
【０１９０】
上に規定した通りの建物構造に接続可能な爆風保護されたユニットを製造する方法で、細長いエレメントと少なくとも１つの保護層に対して印加された力は、風の力、竜巻が発生した力、台風が発生した力、地震によって発生された力、天候に関連した力、あらゆるその他の押圧力、またはそれらのあらゆる組み合わせ、からなるグループから少なくとも部分的に選択されているもの、を開示することが本発明の別の目的である。
【０１９１】
本発明のより良い理解のためと、どのようにそれが実施され得るかを示すために、ここで、純粋に例として、付随する図面が参照され、そこでは全体を通して同様の番号は対応するエレメントまたはセクションを指し示す。
【０１９２】
ここで図面を詳細に特定に参照すると、詳細は例として、本発明の好ましい実施形態の描写的記述の目的のためのみに示されており、発明の原理と概念的側面の最も有用で容易に理解される記載になると信じられるものを提供するために提示されていることが強調される。この点では、発明の根本的理解のために必要であるより多くの詳細で発明の構造的詳細を示す試みはなされておらず、図面と共にとられた記載はどのように発明のいくつかの形が実際に具現され得るかを当業者に明らかにしている。
【０１９３】
記載と共に図面は、どのように発明が実際に具現され得るかを当業者に明らかにする。
【図面の簡単な説明】
【０１９４】
【図１】図１は、本発明の爆風保護ユニットの特定の実施形態である。
【図２ａ】図２ａは、本発明の爆風保護ユニットの断面図である。
【図２ｂ】図２ｂは、本発明の爆風保護ユニットの平面図である。
【図３】図３は、本発明の特定の実施形態による枠組である建物構造の特定の実施形態である。
【図４】図４は、本発明の建物構築物が少なくとも２つの構成に構成可能である方法を概略的に描写する。
【図５ａ】図５ａは、本発明の建物構築物の特定の実施形態をその組み立てられた構成で異なる視点から描写する。
【図５ｂ】図５ｂは、本発明の建物構築物の特定の実施形態をその組み立てられた構成で異なる視点から描写する。
【図５ｃ】図５ｃは、本発明の建物構築物の特定の実施形態をその組み立てられた構成で異なる視点から描写する。
【図５ｄ】図５ｄは、本発明の建物構築物の特定の実施形態をその組み立てられた構成で異なる視点から描写する。
【図６】図６は、爆風イベントの前の建物構築物の断片の例示的描写である。
【図７】図７は、爆風イベントの前の建物構築物の別の断片の例示的描写である。
【図８】図８は、実験的爆風イベントに曝された後の図６からの建物構築物の断片の例示的描写である。
【図９】図９は、別の視点から図８に提示された通りの、本発明のエネルギー吸収ユニットを爆風イベントに続くそれらの変形された状態で提示する。
【図１０】図１０は、本発明の建物構築物の内部から図８−９に提示された通りの、本発明のエネルギー吸収ユニットを爆風イベントに続くそれらの変形された状態で提示する。
【図１１】図１１は、本発明の建物構築物をその特定の実施形態で概略的に描写する。
【図１２】図１２は、２つの事前に起爆する爆風保護ユニットをもった本発明の建物構築物を概略的に描写する。
【図１３】図１３は、本発明の３つの建物構築物から構築された大きな建物構築物を概略的に描写する。
【図１４】図１４は、本発明の特定の実施形態による枠無し構造を概略的に描写する。
【図１５】図１５は、本発明の爆風保護システムの特定の実施形態の概略的描写である。
【図１６】図１６は、本発明の爆風保護システムの断面図の概略的描写である。
【図１７】図１７は、本発明の爆風保護システムの平面図の概略的描写である。
【図１８】図１８は、既存の構造内に設置された本発明の特定の実施形態の例示的描写である。
【図１９】図１９は、構造の内部サイドからの、既存の構造内に設置された本発明の特定の実施形態の例示的描写である。
【図２０】図２０は、構造の内部サイドからの、爆風イベントの後の、既存の構造内に設置された本発明の特定の実施形態の例示的描写である。
【図２１】図２１は、構造の外側サイドからの、爆風イベントの後の、既存の構造内に設置された本発明の特定の実施形態の例示的描写である。
【発明を実施するための形態】
【０１９５】
発明の少なくとも1つの実施形態を詳細に説明する前に、発明は、以下の記載で説明され図面に描かれた構築物の詳細とコンポーネンツの配置へのその適用に限定されないことが理解されるべきである。発明は、その他の実施形態に適用可能であり、様々なやり方で実施されるかまたは実行されるものである。また、ここで採用される言回しや用語は、記載の目的のためであり、限定的と見なされるべきではないことが理解されるべきである。
【０１９６】
「爆風」という用語は、以下では、静的な物体上（例えば、保護パネル上）に予め決められた力を働かし得るあらゆるイベントを指す。いくつかの実施形態によると、爆風という用語は爆発の結果である空気の強い流れを指し得る。その他の実施形態によると、爆風という用語は静的な物体上への弾道攻撃を指し得る。その他の実施形態によると、爆風という用語は爆発と弾道イベントの組み合わせを指し得る。異なる実施形態によると、「爆風」という用語は以下では静的またはあらゆるその他の物体上で行われ得るあらゆるタイプの当該技術分野で知られている攻撃を指す。異なる実施形態によると、爆風という用語は以下の1つを指し得る：爆風圧、小−中口径の発射体、弾道破片、またはそれらのあらゆる組み合わせ。いくつかの実施形態によると、爆風圧は、３２５０ｌｂｓＴＮＴに対する爆発物であっても良い。その他の実施形態によると、小−中口径の発射体は、およそ５．５６からおよそ７．６２ｍｍのアサルトライフル発射体の弾道攻撃であっても良い。その他の実施形態によると、弾道破片は、ロケット、大砲および迫撃砲筐体の破片であっても良い。
【０１９７】
「エネルギー吸収ユニット」という用語は、以下では、それの変形を引き起こすエネルギーを吸収するように適応され、それの物理的寸法を変化させることによってこの変形を補償する変形可能なユニット（例えば、金属ユニット）を指す。
【０１９８】
「シャフト」という用語は、以下では、棒、ポール、柱、バー、レベル、ペール、止まり木、角材、ビーム、梁、合せ板、垂木またはそれらのあらゆる組み合わせを指す。
【０１９９】
「構築された」という用語は、以下では、一時的または恒久的に、建物を建てるかまたは組み立てるあらゆる方法を指す。
【０２００】
「抗破片」という用語は、以下では、爆風の場合に破片が前記建物構築物中に投射されることを防ぐように適応された抗破片層を指す。
【０２０１】
「隠されたやり方」という用語は、以下では、エネルギー吸収ユニットが本発明の建物構造を超えて実質的に突き出さないことを確かなものとするためのあらゆる従来の方法または手段を指す。例えば、この用語は、エネルギー吸収ユニットが目に見えないようなやり方を指しても良い。
【０２０２】
「事前に起爆する」という用語は、以下では、前記建物構築物上の攻撃の結果が軽減されるように、本発明の建物構築物から予め決められた距離においてあらゆる攻撃物体（例えば、間接的火器、ロケット、迫撃砲弾、ミサイル等）の起爆を引き起こし得るあらゆる効果を指す。
【０２０３】
「枠無し構造」という用語は、以下では、爆風から保護された空間を提供すべく、枠組またはあらゆるその他の建物構造を使う必要無しに、爆風保護されたユニットから単に組み立てられ得る構造を指す。
【０２０４】
「建物構造」という用語は、以下では、家、部屋、ロッジ、家、キャビン、キャラバン、車両、またはその中に人および／または物体が位置し得るあらゆるその他の当該技術分野で知られている構造のような、あらゆる当該技術分野で知られている建物構造を指す。
【０２０５】
「爆風保護されたユニット」という用語は、あらゆる従来の手段を介してそれに接続されることによってあらゆる既存の建物構造の保護を増加するために使われ得る建物ユニットである。
【０２０６】
「建物構築物」という用語は、以下では、建物構造と爆風保護されたユニットまたはそれらの少なくとも1つからなるあらゆる構築物を指す。
【０２０７】
「寸法」という用語は、以下では、本発明の特定のコンポーネントの長さ、幅または高さの測定値を指す。
【０２０８】
「モジュール」という用語は、以下では、本発明のシステムの1つのユニットの定量を指す。
【０２０９】
本発明は、爆風に耐え、あらゆる既存の建物構造を保護するように構成された爆風保護されたユニットを開示する。
【０２１０】
ここで図1と２を参照すると、それは本発明の一実施形態を概略的に描写している。本発明は、爆風保護のための爆風保護されたユニット１００を開示する。爆風保護されたユニット１００は、第1のサイド７と第2のサイド8を有する保護パネル１４からなる。これらの図によると、保護パネル１４は、保護パネル１４に外接するサブフレーム１６に接続されている。保護パネル１４のサブフレーム１６への接続は、複数のエネルギー吸収ユニット３０（図２ａ）を介して行われる。エネルギー吸収ユニット３０の各々は、第1の端部３２と第2の端部３４を有する。爆風保護されたユニット１００が形成されるように、エネルギー吸収ユニット３０の各々の第1の端部３２は、コネクター１５を介して保護パネル１４に接続され、エネルギー吸収ユニット３０の各々の第2の端部３４は、サブフレーム１６に接続される。
【０２１１】
本発明の異なる実施形態によると、爆風保護されたユニット１００は、爆風からの保護が建物構造１０の内部部分１７に提供されるように、建物構造１０に接続されるように適応されている。図２ａに見ることができるように、内部部分１７は、保護パネル１４の第２のサイド８に位置する。
【０２１２】
建物構造１０が攻撃された時、爆風保護されたユニット１００は、エネルギー吸収ユニット３０によって爆風のエネルギーの少なくとも一部を吸収することによってそれの内部部分１７を保護するように構成されている。この場合には、エネルギー吸収ユニット３０は、保護パネル１４の第１のサイド７に対して印加された爆風力５の下で変形するように構成されて、保護パネルがサブフレーム１６から離れるように動くことおよびサブフレーム１６の近傍に留まることを許容する。エネルギー吸収ユニット３０の変形の間、爆風のエネルギーの少なくとも一部が、エネルギー吸収ユニット３０によって吸収される。この変形は、可塑性変形であっても良い。別の実施形態によると、この変形は弾性であっても良い。
【０２１３】
図２ａ−ｂに描かれているように、エネルギー吸収ユニット３０は、通常の保護されていない爆風保護されたユニットの外観を提供すべく、隠されたやり方でパネル１４とサブフレーム１６の間に配置される。隠されたやり方は、爆風からの保護を提供する爆風保護されたユニットの能力を外部観察者から隠すように適応されている。本発明のこの特性は、爆風から保護されかつ建物構造に向けての外部観察者の望まれない注意を防ぐ建物構造の能力を隠すために非常に重要であっても良い。
【０２１４】
本発明の異なる実施形態によると、サブフレーム１６は、ねじ手段１１またはあらゆる留め具手段を介して建物構造１０に接続可能である。サブフレーム１６の建物構造１０への接続は、保護を速くて効果的なやり方で提供すべく、非常に単純で都合が良い。
【０２１５】
図１に描かれた本発明の特定の実施形態によると、パネル１４は、少なくとも１つの抗破片層４０と弾道層４２からなる。抗破片層４０は、爆風イベントの場合に破片が建物構造１０中に投射されることを防ぐように適応されている。弾道層４２は、建物構造１０内の内容物に弾道保護を提供するように適応されている。図１と２ａに提示された実施形態では、抗破片層４０と弾道層４２はコネクター１５に接続され、それによって保持される。
【０２１６】
本発明の異なる実施形態によると、抗破片層４０は、壊されたパネルまたはあらゆるその他の材料（たとえば、コンクリート、ガラス等）の断片が前記建物構築物に入ることを防ぐことができる、あらゆる好適な高強度材料で作られていても良い。材料は、例えば、Ｋｅｖｌａｒ（登録商標）、Ｓｐｅｃｔｒａ（登録商標）、Ｄｙｎｅｅｍａ（登録商標）等であっても良い。
【０２１７】
本発明の異なる実施形態によると、弾道層４２は、弾道および抗断片化保護を提供することができるあらゆる材料で作られていても良い。例えば、弾道層４２は、弾道板（例えば、Ｅ−ｇｌａｓｓ）であっても良い。
【０２１８】
本発明の異なる実施形態によると、パネル１４は、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料からなっていても良い。
【０２１９】
いくつかの実施形態によると、パネル１４は、液体隔離、水分隔離、騒音隔離、熱的隔離、防火、弾道保護性質をもった、可撓性、エネルギー吸収性、軽量、事前に製作された、またはそれらのあらゆる組み合わせ、からなるグループから選択された特性によって特徴付けられている。
【０２２０】
本発明の異なる実施形態によると、爆風保護されたユニット１００は、爆風イベントからその内部部分を保護するために、あらゆる建物構造に接続されても良い。爆風保護されたユニット１００は、あらゆる建物構造の外部に、内部に、または開口部に、接続されても良い。しかも、爆風保護されたユニット１００は、あらゆる建物構造の壁、天井または床に接続されても良い。
【０２２１】
異なる実施形態によると、建物構造は、以下の構造の１つであっても良い：コンテナ、キャラバン、壁付き恒久構造、枠組、オフィス、工業設備、ホテル、住居、大使館、およびそれらのあらゆる組み合わせ。
【０２２２】
本発明の異なる実施形態によると、本発明の爆風保護されたユニットが接続され得る建物構造は、それが位置するところのあらゆる予め決められた位置（例えば、戦争中の敵陣地中）において爆風からの保護および／または弾道保護を提供し得る建物構築物を形成するように適応されている。本発明の携帯可能な特性は、発明のユーザに、あらゆる選択された空間を隔離して保護する能力を提供し、独自の軽量で都合の良いデザインによって達成される。例えば、本発明の建物構築物は、彼らが予め決められた位置における敵意のある環境にいる時に、爆風イベントおよび弾道攻撃からの兵士および指揮官の保護のために使われても良い。本発明の建物構築物の構築は、下記されるように容易に速いやり方でなされることができる。本発明は、例えば、コマンドポスト、通信ポスト、格納施設、食事施設、活動の舞台またはクリニック、睡眠宿舎、食事宿舎、および実際には脅威に曝された環境において軍、警察、準軍事組織または民間組織が必要とし得るあらゆる構造として、使われても良い。
【０２２３】
ここで図３−５を参照すると、それは建物構造２００を形成する本発明の爆風保護されたユニットと建物構造の特定の実施形態を描いている。これらの図によると、建物構造２００は、異なるタイプの２つの主要なエレメント：（ｉ）枠組５０として提供された建物構造、（ｉｉ）複数の爆風保護されたユニット１００、からなる。枠組５０は、複数の開口部６０が形成されるように、お互いに機械的に接続された複数のシャフト５５を有する。開口部６０の各々は、本発明の爆風保護されたユニット１００がフィットされる予め決められたサイズによって特徴付けられる。この実施形態によると、各爆風保護されたユニット１００は、（図４および５に描かれたような）その予め規定された開口部６０に置かれてそれに接続されても良い。図３では、枠組５０は、それに接続された爆風保護されたユニット無しで描かれている。図３にはっきりと描かれているように、爆風保護されたユニット１０  ０は、枠組５０の壁、天井または床の代わりに使われても良い。
【０２２４】
図３−５の実施形態によると、シャフト５５は、建物構造５０が長方形のボックスの形を有するように、お互いに垂直である。本発明のその他の実施形態によると、枠組５０は、多角形、円形、楕円形等のようなあらゆる幾何学的形状を有していても良い。
【０２２５】
本発明の異なる実施形態によると、建物構造と爆風保護されたユニットは、あらゆる予め選択された位置において組み立てられ分解され、異なる位置に搬送されても良い。例えば、枠組５０は予め選択された位置に別に搬送されても良く、爆風保護されたユニット１００がそれに後から接続されても良い。この方法が、爆風保護された建物構築物２００を提供しても良い。図４−５の実施形態によると、建物構造は、複数の爆風保護されたユニットで保護されるように適応されている。この実施形態の爆風保護されたユニットは、建物構築物２００の壁、床および天井を置き換えるのに使われても良い。
【０２２６】
ここで図４を参照すると、それは、本発明の建物構築物２００が、（ｉ）建物構築物２００が搬送可能である分解された構成１０２と、（ｉｉ）建物構築物２００が予め決められた位置において組み立てられ、建物構造５０内の内容物に保護を提供するように適応されている、組み立てられた構成１０４、の２つの構成に構成可能である、本発明の一実施形態を概略的に描いている。
【０２２７】
図４に描かれているように、枠組５０は、容易に折り畳まれ、展開されることができる。枠組５０の折り畳まれた構成では、シャフト５５は、建物構造と爆風保護されたユニットが搬送され得る、建物構築物の分解された構成１０２を提供するように配置される。展開された構成１０４では、シャフト５５は組み立てられた構成１０４を提供するように配置される。
【０２２８】
図４の実施形態によると、爆風保護されたユニット１００はまた、（ｉ）爆風保護されたユニットが搬送可能である分解された構成１０２と、（ｉｉ）建物構築物２００が形成されるように、爆風保護されたユニットが建物構造５０に接続される、組み立てられた構成１０４、の２つの構成に構成可能である。
【０２２９】
図４の特定の実施形態によると、本発明の建物構築物２００は、それがコンパクトに荷造りされた形、特にフラットパック、になる分解された構成１０２で提供されても良い。図４の建物構築物２００はまた、あらゆる予め選択された位置において爆風からの保護を提供し得るキットである。
【０２３０】
本発明のいくつかの実施形態によると、シャフト５５の少なくともいくつかは、お互いと旋回軸的に接続されている。本発明のその他の実施形態によると、（枠組５０の）建物構造のコーナーは堅いかまたは硬化されている。
【０２３１】
本発明の異なる実施形態によると、爆風保護されたユニット１００は、およそ５０ｐｓｉ．ｍｓｅｃからおよそ６００ｐｓｉ．ｍｓｅｃの間の爆風衝撃と、１５００ｐｓｉを超える爆風圧に対して安定である。
【０２３２】
本発明の異なる実施形態によると、エネルギー吸収ユニット３０は、複数回の爆風に耐えるように構成されている。例えば、エネルギー吸収ユニットの一部が一回の爆風に耐えるように適応されていても良く、エネルギー吸収ユニットの別のセットが、より強力であっても良い別の爆風に耐えるように適応される。
【０２３３】
本発明のエネルギー吸収ユニットは、最大の負荷容量に耐えるように設計されている。その負荷を超えるあらゆる力は、ＥＡＵがせん断されることに結果としてなる。各フレームに接続されたＥＡＵユニットの総量は、従って本発明のサブフレームに転送されることができる最大負荷を規定する。もし増加された力が印加されれば、エネルギー吸収ユニットが落ちて、パネルがサブフレームから離脱する。
【０２３４】
このメカニズムは、エネルギー吸収ユニットの最大設計負荷容量までの構造的フレームの構造的抵抗を設計することを許容し、よって負荷を超える爆風イベントではサブフレー-ムと建物構造が損傷されずに残り、パネルがサブフレームから離脱し、建物構造の内向きに飛ばされ得ることを確かなものとする。本発明の特定の実施形態によると、パネルは、１回以上の爆風イベントの後にサブフレームから離脱しても良い。本発明の別の特定の実施形態によると、パネルは、建物構造自体の崩壊または損傷を防ぐべく、予め決められたレベルの爆風が起こる時にサブフレームから離脱しても良い。
【０２３５】
爆風後の変形された状態にあるエネルギー吸収ユニットをもった爆風保護されたユニット１００が、追加の爆風からの保護を建物構造の内部部分に提供すべく置き換え可能であることは、本発明の範囲内である。言い換えると、爆風保護ユニットを変形した爆風イベントの後、それは新しい爆風保護ユニットによって容易に置き換えられることができる。この置き換えは、新しい爆風保護ユニットのサブフレームを建物構造（または枠組）に機械的に接続することだけによってなされても良い。本発明の異なる実施形態によると、本発明の爆風保護されたユニットは、建物構造が位置しているあらゆる予め選択された位置において爆風からの素早く信頼性のある保護を提供することができる。
【０２３６】
ここで図５ａ−ｄを参照すると、それらは本発明の建物構築物２００の特定の実施形態をその組み立てられた構成１０４で異なる視点から描いている。
【０２３７】
図５ａでは、本発明の建物構築物が側面から概略的に描かれている。この図ではまた、本発明の特定の実施形態による爆風および弾道抵抗性窓が提示されている。
【０２３８】
図５ｂでは、本発明の建物構築物がその狭い部分の側面から概略的に描かれている。この図ではまた、本発明の特定の実施形態による爆風および弾道抵抗性ドアが提示されている。
【０２３９】
図５ｃでは、本発明の建物構築物の断面が上方の視点から概略的に描かれている。
【０２４０】
図５ｄでは、本発明の建物構築物の断面が側方の視点から概略的に描かれている。
【０２４１】
建物構築物２００および／または爆風保護されたユニット１００および／または建物構造５０は、本発明の特性を有していても良く、再配置可能、搬送可能、携帯可能、恒久的、特定の構築物に固定された、モジュール型、素人による構築が容易、軽量、モジュール型、大きな建物構造に構成可能、爆風保護された、折り畳み可能、展開可能、組み立て可能、分解可能、またはそれらのあらゆる組み合わせ、であるその能力によって特徴付けられている。これらの性質の組み合わせは、本発明に従来技術に対するその新規で非自明な利点を与える。発明の実施形態は、それらの組み立てられたかまたは分解された構成において、空中、海中または陸上により最も敵意のある環境へのおよびからの搬送のために適応されている。
【０２４２】
例えば、本発明の建物構築物は、建物構築物の分野の専門家ではないあらゆる人員（例えば、建築またはエンジニアリングを専門としていない兵士または準軍事的人員の分隊）によって、あらゆる予め選択された位置において配備され、構築され、組み立てられても良い。
【０２４３】
本発明のその他の側面は、その軽量な特性（従来の建物構築物と対照的に）と、従ってあらゆる必要とされる位置への搬送の容易さである。発明は、既存の建物構築物上に、内に、あるいは隣接して、構築されても良く、発明の個々のモジュールが（図１３に描かれたように）お互いと接続された単独の建物構築物の多数から作られた大きな建物構築物を構築するのに使われても良いように、実施形態が提供されている。
【０２４４】
本発明の建物構築物は構築が容易であり事前に製作されているという事実は、熟練していない人（素人）による使用を容易にする。例えば、建物の建設に熟練していない兵士が、あらゆる予め選択された位置で保護構築物を容易に素早く構築することができても良い。
【０２４５】
本発明の異なる実施形態によると、爆風保護されたユニット１００は、風、竜巻、台風、地震、天候関連条件、弾道攻撃、あらゆる押圧力、またはそれらのあらゆる組み合わせ、からなるグループから選択された要因から建物構造とその内部を保護しても良い。
【０２４６】
いくつかの実施形態によると、建物構造１０は、保護窓、保護ドア、部屋の内部分割等からなっていても良い。それらのエレメントは、本発明の爆風保護されたユニットと同様の特性（例えば、エネルギー吸収ユニット）によって特徴付けられていても良い。
【０２４７】
本発明の建物構築物は、強い風、雨、竜巻、台風等のようなあらゆる予期されたおよび予期されない天候条件に対して安定であっても良い。本発明のシステムはまた、地震またはその上に外力を印加し得るあらゆるその他の要因に対して安定である。
【０２４８】
いくつかの実施形態によると、爆風保護されたユニット１００に対して印加された力は、風の力、竜巻が発生した力、台風が発生した力、地震によって発生された力、天候に関連した力、あらゆるその他の押圧力、またはそれらのあらゆる組み合わせ、からなるグループから選択された力であっても良い。それらの力の少なくとも１つが本発明のシステム上に印加された時、エネルギー吸収ユニットがそれらの力によって生成されたエネルギーを吸収しても良く、それにより、いくつかの状態では、建物構築物への損傷を防ぐ。
【０２４９】
本発明のいくつかの実施形態によると、本発明は、建物構築物を素早く配備し、活動の舞台において建物構築物を介して物体を保護するための方法を開示する。方法は、活動の舞台において建物構築物内に位置する物体に爆風からの保護を提供するように適応されている。
【０２５０】
いくつかの実施形態によると、物体は、軍隊、警察隊、兵士、応急手当要員、報道要員、軍事設備、電子設備、またはそれらのあらゆる組み合わせ、からなるグループから選択されている。いくつかの実施形態によると、活動の舞台は、敵意のある環境、戦場、都市、村、山岳エリア中、またはそれらのあらゆる組み合わせ、からなるグループから選択されている。いくつかの実施形態によると、建物構築物は、およそ１０分とおよそ２時間の間の時間中に力に対する保護を提供するために活動の舞台に配備されるように適応されている。
【０２５１】
いくつかの実施形態によると、建物構築物は、飛行機、ジェット機、ヘリコプター、クレーン、またはそれらのあらゆる組み合わせ、からなるグループから選択された搬送手段を介して高い高度から活動の舞台に提供される。
【０２５２】
ここで図６−１０を参照すると、それらは本発明の特定の実施形態を概略的に描いている。図６−７では、爆風イベント前の建物構築物３００が例示的に描かれており、図８−１０では、爆風イベント後の建物構築物３００が例示的に描かれている。
【０２５３】
図６によると、建物構造２１０は、ねじ手段２２２を介して爆風保護されたユニット２２０に接続されている。爆風保護されたユニット２２０は、エネルギー吸収ユニット２１６を介して非連続的サブフレーム２１７に接続されている保護パネル２１５から構築されている。この実施形態によると、建物構造２１０は金属で作られており、サブフレーム２１７はアルミニウムプロファイルで作られている。
【０２５４】
ここで図７を参照すると、それは爆風イベント前のそれへの２つの爆風保護されたユニット２２０をもった建物構造２１０を例示的に描いている。
【０２５５】
ここで図８を参照すると、それは実験的爆風イベントに曝された後の、図６からの建物構築物の断片を例示的に描いている。発明者によって行われた実験的爆風イベントは、およそ１５０ｐｓｉ．ｍｓｅｃの爆風衝撃をもって行われた。この実験では、建物構築物がこの種類の爆風に対して安定であることが証明された。別の実験では、本発明の建物構築物が、およそ５０ｐｓｉ．ｍｓｅｃからおよそ６００ｐｓｉ．ｍｓｅｃの間の爆風衝撃と、１５００ｐｓｉを超える爆風圧をもった爆風に対して安定であることが証明された。
【０２５６】
図８に見ることができるように、エネルギー吸収ユニット２１６は、爆風イベントの後で爆風エネルギーの少なくとも一部を吸収した後では、それらの変形された構成にある。この場合には、爆風保護されたユニット２２０は、建物構造２１０の内部への保護を更新すべく、新しい爆風保護されたユニットで容易に置き換えられることができる。加えて、この図では、パネル２１５が建物構造２１０の内部サイドまで動かされ、予め決められた距離で停止したことを見ることができる。
【０２５７】
図９はまた、別の視点から、図８に提示されたように、爆風イベントに続いてエネルギー吸収ユニット２１６がそれらの変形された状態にあることを示す。この図では、どのように爆風保護されたユニットと建物構造の組み合わせが爆風から保護された建物構築物３００を形成するかもはっきりと見ることができる。
【０２５８】
図１０は、建物構築物３００の内部部分を描いている。この図では、どのように建物構築物の内部が実験的爆風イベントによって傷つけられていないかをはっきりと見ることができる。図中のエネルギー吸収ユニット２１６は、爆風イベントに続いてそれらの変形された状態にある。爆風保護されたユニット２２０は、それの内部の保護を更新すべく、新たな爆風保護されたユニットを建物構造２１０に接続することによって容易に置き換えられることができる。
【０２５９】
図１１は、本発明の建物構築物４００の特定の実施形態を概略的に描いている。この図では、建物構築物４００は、その組み立てられた構成で提供されている。この特定の実施形態によると、建物構築物４００は、２つの主要なタイプのエレメント：（ｉ）爆風保護されたユニット３２０、それは（ｉｉ）建物構造３１０に接続されている、からなる。建物構築物４００は、砂漠またはあらゆるその他の位置で容易に組み立てられたことと、分解することにより別の位置に搬送することもできることを見ることができる。図１１の建物構築物４００は、標準的な保護されていない建物構築物のように見えるが、およそ５０ｐｓｉ．ｍｓｅｃからおよそ６００ｐｓｉ．ｍｓｅｃまでと、１５００ｐｓｉを超える爆風圧の爆風イベントに耐えることをそれに可能とする特性を有している。
【０２６０】
図１２は、事前に起爆するユニットとして使われる爆風保護されたユニット４４０をもった本発明の建物構築物５００を概略的に描いている。この実施形態によると、爆風保護されたユニット４４０は、建物構築物４００のような、あらゆる建物構築物に接続されても良い。図１２の爆風保護されたユニット４４０は、建物構築物５００上への弾道攻撃の衝撃を少なくとも部分的に軽減するように構成されている。爆風保護されたユニット４４０は、建物構造４１０から予め決められた距離において接続シャフト４１２を介して建物構造４１０に接続されている。更には、建物構造４１０は、図１１の実施形態においてのように保護を提供するように適応された爆風保護されたユニット４２０からなる。爆風保護されたユニット４４０は、例えば、迫撃砲弾、ロケットまたはＲＧＰのような推進された成形爆弾兵器が建物構築物５００の爆風保護されたユニット４２０より前に爆発することを引き起こし、それにより少なくとも部分的に爆風保護されたユニット４２０の損傷を軽減するのに使われることができる。この場合には、爆風保護されたユニット４２０から予め決められた距離において処置される爆風は、爆風保護されたユニット４２０とそれらのエネルギー吸収ユニットが爆風のエネルギーを吸収して、建物構造４１０の内部部分中にパネルを動かすことを引き起こす。爆風保護されたユニット４４０はオプションであり、本発明のあらゆる建物構築物の構築中または後のあらゆる時間において追加されることができる。しかも、一連の爆風保護されたユニット４４０（お互いから予め決められた距離において位置する）が、本発明の建物構築物の保護を向上するために追加されても良い。
【０２６１】
図１３は、大きな建物構築物６００を概略的に描いている。本発明の特定の実施形態を描いているこの図によると、3つの建物構築物５９０がお互いに相互接続されて、大きな建物構築物６００が構築されている。この図によると、建物構築物６００が1つの建物構築物５９０から別の建物構築物５９０に渡る能力を提供することも見ることができる。図１３の特定のものによると、建物構築物６００は病院として使われても良い。
【０２６２】
その他の実施形態によると、本発明の建物構築物は、既存の従来の建物構築物と相互接続されても良い。例えば、本発明の建物構築物は、既存の建物構築物の屋根の上かまたはその横で組み立てられても良い。
【０２６３】
図１３でこれもまた概略的に描かれているのは、建物構築物６００の天井の上への弾道攻撃の衝撃を少なくとも部分的に軽減するのに使われても良い爆風保護されたユニット５８０である。建物構築物６００の天井の（建物構築物６００の屋根の）上に事前に起爆するパネルを設置するオプションは、前記建物構築物の屋根の上への前記攻撃の結果が軽減されるように、ロケットまたは迫撃砲弾のような間接的火器が建物構築物のパネルから予め決められた距離において起爆されることを引き起こすように適応されている。
【０２６４】
本発明はまた、爆風保護された建物構築物を構築するための方法も開示する。方法は、
ａ．少なくとも１つの開口部を有する建物構造を提供するステップと、
ｂ．少なくとも１つの爆風保護されたユニットであって、（ｉ）第１のサイドと第２のサイドを有する保護パネルと、（ｉｉ）保護パネルに外接するように適応されたサブフレームであって、サブフレームは開口部の少なくとも１つにフィットされるように適応されているものと、（ｉｉｉ）サブフレームを保護パネルに接続するように適応された複数のエネルギー吸収ユニットであって、エネルギー吸収ユニットの各々は第１の端部と第２の端部を有し、爆風保護されたユニットが形成されるように、エネルギー吸収ユニットの各々の第１の端部は保護パネルに接続可能であり、エネルギー吸収ユニットの各々の第２の端部はサブフレームに接続可能であり、エネルギー吸収ユニットは保護パネルの第１のサイドに対して印加された爆風力の下で変形するように構成され、保護パネルがサブフレームから離れるように動くことおよびサブフレームの近傍に留まることを許容するものと、を含むものを提供するステップと、
ｃ．少なくとも１つの爆風保護されたユニットを、少なくとも１つの開口部内に置くステップと、
ｄ．少なくとも１つの爆風保護されたユニットを、少なくとも１つの開口部に接続し、それにより建物構造の内部部分に爆風からの保護を提供するステップと、
からなる。
【０２６５】
本発明のその他の実施形態によると、本発明の爆風保護されたユニットは、建物構造を使う必要無しに、お互いと接続されても良い。それらの実施形態によると、爆風保護されたユニットのサブフレームは、枠無し構造を提供すべく、お互いと接続されても良い。図１４は、枠組またはあらゆるその他のタイプの建物構造を使う必要無しに、爆風保護されたユニット８１０がお互いと接続された、枠無し構造９００の一実施形態を概略的に描いている。図１４に見ることができるように、枠無し構造は、爆風保護されたユニット８１０をお互いと接続することによって容易に構築されても良い。この接続は、爆風保護されたユニット８１０のサブフレーム８１２を接続することによって行われても良い。
【０２６６】
本発明のその他の実施形態によると、本発明の建物構築物はまた、それに接続された少なくとも1つの爆風保護システムからなっていても良い。爆風保護システムは下記される。
【０２６７】
本発明はまた、建物構造の内部の保護のための爆風保護システムを開示する。爆風保護システムは、以下のコンポーネンツからなる：
ａ．建物構造に接続されるように適応された第1および第２のエネルギー吸収ユニットと、
ｂ．第1および第２の端部を有する複数の間隔を空けられた細長いエレメントであって、細長いエレメントの各第１の端部は第１のエネルギー吸収ユニットに機械的に接続可能であり、細長いエレメントの各第２の端部は第２のエネルギー吸収ユニットに機械的に接続可能であるものと、
ｃ．第１および第２のエネルギー吸収ユニットに機械的に接続可能な少なくとも１つの保護層。
【０２６８】
爆風保護システムのエネルギー吸収ユニットは、爆風によって作り出されたエネルギーが細長いエレメントを介してエネルギー吸収ユニットによって少なくとも部分的に吸収されるように、細長いエレメントと少なくとも１つの保護層に対して印加された力の下で変形するように構成されている。
【０２６９】
本発明は、建物構造６０５のようなあらゆる既存の建物構造の内部に爆風からの保護と弾道保護を提供するように適応された爆風保護システム７００を開示する。本発明の爆風保護システムは、既存の壁またはあらゆる建物構造のその他のエレメントを改造するために使われても良い。それはまた、あらゆる建物構造のあらゆる開口部中に設置されてもよい。本発明は、携帯可能性と（例えば、設置のための）使用が非常に容易なことによって特徴付けられている。しかも、爆風保護システムは、それを1つの場所から取り除いて別の場所に設置することによってマルチ使用のために活用されることができる。本発明のシステムが設置するのが容易であり事前に製作されているという事実は、熟練していない人による使用を容易にする。例えば、保護システムの分野に熟練していない兵士が、あらゆる位置におけるあらゆる既存の建物構造を容易に素早く保護しても良い。
【０２７０】
本発明の主要な新規な特徴は、非常に大規模な爆風イベント（例えば、６００ｐｓｉ．ｍｓｅｃ）に耐えるその能力のみならず、システムが設置されたところの壁およびその他の位置の様々な寸法へのその適応可能性でもある。例えば、同じシステムが、２メートルの高さの壁を覆うのと、また３メートルの高さの別の壁のために、使われることができる。これは、システムの様々な寸法に調節されることの能力によって達成される。
【０２７１】
本発明は、発明のユーザに、あらゆる選択された既存の建物構造を隔離して保護する能力を提供し、独自の軽量で信頼性があり強くて都合の良いデザインによって達成される。例えば、爆風保護システムは、彼らが敵意のある環境における閉じられた構造中に位置している時に、爆風イベントおよび弾道攻撃からの兵士および指揮官の保護のために使われても良い。
【０２７２】
本発明の爆風保護システムの使用のための方法は、下記されるように、容易に速いやり方でなされることができる。
【０２７３】
本発明は、例えば、コマンドポスト、通信ポスト、格納施設、食事施設、活動の舞台またはクリニック、睡眠宿舎、食事宿舎、および実際には脅威に曝された環境において軍、警察、準軍事組織または民間組織が必要とし得るあらゆる構造として、使われても良い。
【０２７４】
ここで図１５を参照すると、それは本発明の爆風保護システム７００の特定の実施形態を概略的に描いている。この図に描かれている爆風保護システム７００は、建物構造６０５（例えば、部屋、建物構築物、ロッジ、家、キャビン、キャラバン、車両等）の内部に保護を提供するように適応されている。例えば、システムは、爆風イベントの後に投射される壁６０７の破片および断片から構造６０５の内部を保護しても良い。
【０２７５】
図１５に描かれたシステムは、それぞれ建物構造６０５の天井６０８と床６０９に機械的に接続されている、第１のエネルギー吸収ユニット６１０と第２のエネルギー吸収ユニット６１１から構築されている。
【０２７６】
本発明の特定の実施形態によると、第１と第２のエネルギー吸収ユニット６１０と６１１の構造６０５への接続は、ねじ手段またはあらゆるその他の従来の接続手段を介して行われても良い。
【０２７７】
第１のエネルギー吸収ユニット６１０と第２のエネルギー吸収ユニット６１１は、複数の間隔を空けられた細長いエレメント６２０によって相互接続されている。図１５に描かれた特定の実施形態によると、細長いエレメント６２０は、お互いと実質的に平行である。
【０２７８】
各細長いエレメント６２０は、第１の端部６２１と第２の端部６２２を有している。細長いエレメント６２０の各第１の端部６２１は、第１のエネルギー吸収ユニット６１０に機械的に接続され、細長いエレメント６２０の各第２の端部６２２は、第２のエネルギー吸収ユニット６１1に機械的に接続されている。
【０２７９】
第１のエネルギー吸収ユニット６１０と第２のエネルギー吸収ユニット６１１はまた、少なくとも１つの保護層によって相互接続されている。図１５の特定の実施形態によると、保護層６３０は抗破片層である。抗破片層は、爆風イベントの場合に破片が建物構造６０５の内部中に投射されることを防ぐように適応されている。
【０２８０】
本発明のその他の実施形態によると、保護層６３０は追加的に、構造６０５内の内容物に弾道保護を提供するように適応された弾道層からなる。特定の実施形態では、弾道層は、抗破片層に追加的に使われても良い。
【０２８１】
本発明のその他の実施形態によると、保護層６３０は、保護パネルであっても良く、あるいは保護パネルからなっていても良い。このパネルは、フェノール発泡体、ポリウレア発泡体、ガラスファイバー、カーボンファイバー、アラミドファイバー、ポリエチレンファイバー、ポリスチレン、プラスチック発泡体、岩綿、複合材料、事前に製作された構造の構築のために使用することができる軽量材料、またはそれらのあらゆる組み合わせ、からなるグループから選択された材料で作られていても良い。
【０２８２】
いくつかの実施形態によると、保護層６３０は、液体隔離、水分隔離、騒音隔離、熱的隔離、防火、弾道保護性質をもった、可撓性、エネルギー吸収性、軽量、事前に製作された、可変な硬度、弾力性、半透明、またはそれらのあらゆる組み合わせ、からなるグループから選択された特性によって特徴付けられた材料で作られていても良い。半透明の保護層が使われる時には、本発明のシステムは、構造中への日光の転送を提供することができる。これは、システムが窓の前に設置される時に重要であり得る。この場合には、日光が構造中に入っても良い。
【０２８３】
いくつかの実施形態によると、壁６０７は、この壁を強化するように適応されたこて６３２で追加的に塗装されても良い。
【０２８４】
図１５に描かれた第１と第２のエネルギー吸収ユニット６１０と６１１は、第１の接続プロファイル６１７と第２の接続プロファイル６１８の間に位置するエネルギー吸収サブユニット６１２のアレイで構築されている。第１の接続プロファイル６１７は、エネルギー吸収サブユニット６１２を細長いエレメント６２０および保護層６３０と相互接続する。第２の接続プロファイル６１８は、エネルギー吸収サブユニット６１２を建物構造６０５と相互接続する。
【０２８５】
本発明のシステムがそれに従って構造６０５を爆風から保護するメカニズムは以下の通りである：爆風イベントの場合には、爆風イベントによって作り出されたエネルギーが、少なくとも部分的にはエネルギー吸収ユニット６１０と６１１によって、また少なくとも部分的には細長いエレメント６２０によって、吸収されるように、第１と第２のエネルギー吸収ユニット６１０と６１１が、細長いエレメント６２０と保護層６４０に対して印加された力の下で変形されるように構成されている。より特定には、細長いエレメント６２０は爆風によってそれら上に印加されたエネルギーのほとんどを吸収し、前記エネルギーをエネルギー吸収ユニット６１０と６１１に伝送する。特定の実施形態によると、エネルギー吸収ユニット６１０と６１１は、爆風イベントの結果として曲げられるおよび／または細長くされることによって可塑的に変形可能である。その他の実施形態によると、エネルギー吸収ユニットは、複数回の爆風に耐えるように構成されていても良い。
【０２８６】
本発明の従来技術に対する主要な利点は、非常にエネルギッシュな爆風イベントに耐えるその能力のみならず、あらゆる既存の壁にフィットされるその能力でもある。これは、
細長いエレメント６２０と保護層６３０の寸法的に調節可能であることの能力によって達成される。言い換えると、システム７００は、改造された壁を提供するために、壁の特定のエリアを覆うために、可変な寸法に引き伸ばされ／展開され／拡張されることができる。いくつかの実施形態によると、システムの可変な寸法は、第１と第２のエネルギー吸収ユニット６１０と６１１の間の距離である。この距離は典型的には、およそ１００ｃｍとおよそ１０ｍの間であっても良い。
【０２８７】
図１６に見ることができるように、システム７００は、壁６０５の前にそれと実質的に隣接して設置され、前記壁の高さ全体にフィットされる。その他の実施形態によると、本発明のシステムは、壁の少なくとも一部の寸法にフィットされるように寸法的に調節可能であっても良い。
【０２８８】
幅広い壁全体を改造するために、複数の爆風保護システム（システムのモジュール）が１つをもう１つの隣りにして設置されても良い一方で、それらの高さは前記壁の高さにフィットされる。例えば、もし壁の幅が９メートルであり、各モジュールの幅が２メートルであれば、この場合には４つのモジュールが１つをもう１つの隣りにして設置され、第五のモジュールの幅が半分に短くされて残りのモジュールの隣りに置かれる。
【０２８９】
図１７によると、細長いエレメント６２０は鋼鉄ケーブルである。その他の実施形態によると、細長い部材は、棒、パイプ、バー、メッシュ、シャフト、スティック、コード、ロープ、紐、ワイヤ、糸、ケーブル等であることができる。
【０２９０】
図１７の細長いエレメントの寸法は、それらの伸縮可能な特性によって調節可能である。これは、細長いエレメント６２０の長さが、それらがそれらの一方のサイドから引っ張られると同時にもう一方のサイドから保持された時に、拡大可能であることを意味する。その他の実施形態によると、細長いエレメント６２０の長さは、細長くすることの可能性、引き伸ばし可能性、拡張可能性、非弾性、拡大されることの能力、変動する長さ等のようなそれらのその他の特性によって変えられても良い。例えば、細長いエレメントの長さは、細長いエレメントを引き伸ばし、それらの不要な余りを切断することによって調節されても良い。
【０２９１】
保護層６３０の寸法は、細長くすることの可能性、引き伸ばし可能性、弾性、拡張可能性、拡大可能性、巻き上げられた状態で提供された時の広げられる能力、切断、スライシング、またはそれらのあらゆる組み合わせ、からなるグループから選択された特性によって調節可能である。本発明の好ましい実施形態によると、保護層６３０の長さは、保護層６３０がエネルギー吸収ユニットの１つの近傍に位置するその端部の１つにおいて巻き上げられた状態で提供された時に、調節可能である。保護層６３０の長さの調節に続いて、ユーザによって設定された最終的な長さが固定手段（例えば、クリップ、クランプ、ファスナー、ステープラー、スロット、アバットメント等）によって固定される。
【０２９２】
本発明の異なる実施形態によると、システム７００は、以下の特性の少なくとも１つを有していても良い：再配置可能、搬送可能、携帯可能、前記構築物に固定された、モジュール型、設置が容易、キット状、巻き上げられたキット中に設けられた、置き換え可能、アップグレード可能、拡張可能、素早く配備可能、素人による設置が簡単、軽量、爆風保護された、爆風および弾道保護された、装飾的仕上げをもった、またはそれらのあらゆる組み合わせ。
【０２９３】
本発明の異なる実施形態によると、細長いエレメントと少なくとも１つの保護層に対して印加された力は、風の力、竜巻が発生した力、台風が発生した力、地震によって発生された力、天候に関連した力、あらゆるその他の押圧力、またはそれらのあらゆる組み合わせ、からなるグループから少なくとも部分的に選択されている。
【０２９４】
いくつかの実施形態によると、本発明は、爆風保護キットを介して活動の舞台における建物構造内の物体を素早く配備して保護するための方法を開示する。キットは、活動の舞台における構造内に位置する物体に爆風からの保護を提供するように適応されている。いくつかの実施形態によると、キットは、およそ１０分とおよそ２時間の間の時間中に物体への保護を提供するために活動の舞台に配備されるように適応されている。
【０２９５】
いくつかの実施形態によると、物体は、軍隊、警察隊、兵士、応急手当要員、報道要員、軍事設備、電子設備、またはそれらのあらゆる組み合わせ、からなるグループから選択されている。いくつかの実施形態によると、活動の舞台は、敵意のある環境、戦場、都市、村、山岳エリア中、石油リグ、またはそれらのあらゆる組み合わせ、からなるグループから選択されている。いくつかの実施形態によると、キットは、飛行機、ジェット機、ヘリコプター、クレーン、またはそれらのあらゆる組み合わせ、からなるグループから選択された搬送手段を介して高い高度から活動の舞台に提供される。
【０２９６】
ここで図１７を参照すると、それは本発明の爆風保護システム７００の側面図を概略的に描いている。この図に描かれた爆風保護システム７００は、建物構造６０５の壁６０７に隣接しており、爆風イベントの場合に、前記壁の破片が構造６０５の内部中に貫通することが防がれるようになっている。
【０２９７】
図１６には、細長いエレメント６２０を介して相互接続され、その間に位置する保護層６３０をもった、第１と第２のエネルギー吸収ユニット６１０と６１１が描かれている。この図に描かれているように、第２のエネルギー吸収ユニット６１１は、第１の接続プロファイル６１７を介して細長いエレメント６２０に、また第２の接続プロファイル６１８を介して建物構造６０５の床６０９に、接続されている。図１６に描かれた特定の実施形態によると、第１のエネルギー吸収ユニット６１０はまた、第１のエネルギー吸収ユニット６１０を天井６０８と細長いエレメント６２０に接続するように適応された第１と第２の接続プロファイル（図示せず）から構築されている。
【０２９８】
ここで図１６を参照すると、それは本発明の爆風保護システム７００の上面図を概略的に描いている。この図に描かれたシステム７００は、建物構造６０５の壁６０７に隣接しており、爆風イベントの場合には、前記壁の破片が建物構造６０５の内部中に貫通することが防がれるようになっている。図１６は、保護層６３０をもった細長いエレメント６２０の上面図を描いている。
【０２９９】
ここで図１８を参照すると、それは構造７０５内に設置された本発明のシステム８００の特定の実施形態を例示的に描いている。この図に描かれたシステム８００は、実験的爆風イベントに曝された。発明者によって行われた実験的爆風イベントは、およそ１０００ｐｓｉ．ｍｓｅｃの爆風衝撃をもって行われた。この実験では、本発明の爆風保護システム８００がこの種類の爆風に対して安定であることが証明された。その他の実験では、本発明の建物構築物が、およそ５０ｐｓｉとおよそ１８００ｐｓｉ．ｍｓｅｃの間の爆風衝撃の幅広い範囲をもった爆風に対して安定であることが証明された。この範囲と強度の爆風に耐えることができるシステムは従来技術では無かったことを強調することが重要である。
【０３００】
図１８によると、第１と第２のエネルギー吸収ユニット７１０と７１１は、細長いエレメント７２０を介して相互接続され、その間に位置する保護層７３０をもつ。
【０３０１】
図１８に描かれた第１と第２のエネルギー吸収ユニット７１０と７１１は、第１の接続プロファイル７１７と第２の接続プロファイル７１８の間に位置するエネルギー吸収サブユニット７１２のアレイで構築されている。第１の接続プロファイル７１７は、エネルギー吸収サブユニット７１２を細長いエレメント７２０および保護層７３０と相互接続する。第２の接続プロファイル７１８は、エネルギー吸収サブユニット７１２を構造７０５と相互接続する。
【０３０２】
図１８に提示された細長いエレメント７２０の長さと保護層７３０の長さは、高Ｄ構造７０５に調節されている。細長いエレメント７２０の長さは、それらの伸縮可能な拡大によって調節され、保護層７３０の長さは前記保護層を必要とされる寸法まで切断することによって調節される。図１８の保護層７３０は、弾道層と組み合わされた抗破片層である。
【０３０３】
ここで図１９を参照すると、それは構造７０５をその外部側から概略的に描いている。本発明の爆風保護システムは壁７０７の背後に設置され、爆風の源は壁７０７の前に位置している（図示せず）。
【０３０４】
ここで図２０を参照すると、それは６００ｐｓｉ．ｍｓｅｃの反射された衝撃を作り出す爆風イベントの後の、図１８の爆風保護システム８００を描いている。システムが成功裡に構造７０５内の損傷を防いでいることをこの図に見ることができる。爆風のエネルギーは、細長いエレメント７２０に吸収されており、それはエネルギーの一部をエネルギー吸収ユニット７１０と７１１のエネルギー吸収サブユニット７１２に転送している。図１８によると、爆風の結果として、細長いエレメント７２０は曲げられ、エネルギー吸収サブユニット７１２は可塑的に変形された（曲げられ引き伸ばされた）。
【０３０５】
ここで図２１を参照すると、それは、爆風イベントの後の、（図２１からの）構造７０７をその外部側から描いている。この図では、壊された壁７０５の破片および断片と、（図２１からの）システム８００がその外部側から提示されている。この図に見ることができるように、壊された壁７０５の破片および断片が構造７０５の内部中に貫通することが防がれた。
【０３０６】
本発明の異なる実施形態によると、あらゆる建物構造が、上記の異なる実施形態による少なくとも１つの爆風保護ユニットおよび／または爆風保護システムで保護されても良い。例えば、複数の爆風保護ユニットが、建物構造の壁として使われても良く、爆風保護システムが、建物構造の内部中に設置されても良い。
【０３０７】
実験結果：
（図１−１３の）建物構造に接続された爆風保護ユニットがいくつかの実験でテストされた。実験の結果は以下の通りである：
１．２３０フィートのスダンドオフにおける３２５０ｌｂｓＴＮＴの爆薬
爆風保護ユニットをもった建物構造に対する実物大高爆薬爆風試験は以下の結果を提供した：
反射された圧力：１２．５ｐｓｉ
反射された衝撃：９３．７９ｐｓｉ．ｍｓｅｃ
内部圧力：１．６９ｐｓｉ
２．１８３フィートのスタンドオフにおける３２５０ｌｂｓＴＮＴ（等価物）の爆薬
爆風保護ユニットをもった建物構造に対する実物大高爆薬爆風試験は以下の結果を提供した：
計算された反射された圧力：１４．８３ｐｓｉ
計算された反射された衝撃：２０９．１ｐｓｉ．ｍｓｅｃ
自由場圧力：６．６１ｐｓｉ
３．４．６フィートのスタンドオフにおける１３．２３ｌｂｓＴＮＴの爆薬
枠無し構造に対する１２０ｍｍ迫撃砲および１０７ｍｍロケットの両方の脅威の複製を提供した試験は以下の結果を提供した：
反射された爆風圧：１５１２ｐｓｉ
計算された反射された圧力：２０９ｐｓｉ．ｍｓｅｃ
本発明の建物構築物が以下のベースラインパフォーマンスについての実物大爆薬および弾道試験を経験した：
クラスＡ−小／中口径発射体
アサルトライフル５．５６−７．６２ｍｍ弾
クラスＢ−戦場ロケット、大砲および迫撃砲
１２０ｍｍ迫撃砲、１０７ｍｍロケット−静的起爆
クラスＣ−ＶＢＩＥＤｓ
１５００ｋｇＴＮＴ
爆風保護構造中のお互いに接続された保護パネル、サブフレーム、エネルギー吸収ユニットが、１５１２ｐｓｉの爆風圧と２０９ｍｓｅｃ．ｐｓｉの爆風衝撃に耐えることをテストされ、結果はポジティブであった。言い換えると、建物構築物のパネルとエネルギー吸収ユニットは攻撃に耐えることに成功した。
【０３０８】
標準的爆薬試験の下、記録された最大歪みは：パネルフレームハウジング：３７０ｍｍ；パネルミッドスパン：４７０ｍｍ。
【０３０９】
各パネルは、建物構造の背後および内部的に脅威削減ゾーンを作り出し、以下に対する危険度削減を提供する：
爆風圧−２３０フィートのスタンドオフにおける３２５０ｌｂｓＴＮＴ（等価物）に対する実物大爆薬試験は、１４．８３ｐｓｉの表面外側の反射された圧力と１．６９ｐｓｉの内部圧力を記録し、８８．６％の保護されたゾーン内の爆風圧削減を提供した。
【０３１０】
小−中口径発射体−弾道試験は、パネルのベースライン装甲層（アップグレード可能）が
５．５６−７．６２ｍｍアサルトライフル発射体に耐えることを認証し、それらの脅威に対する削減された危険度を提供し、ＳＴＡＮＧＡＧ２２８０ＣｌａｓｓＡ−Ｌｅｖｅｌ１に従って認証した。
【０３１１】
弾道断片−パネルの弾道装甲は、ロケット、大砲および迫撃砲筐体からの一次的断片と、高爆薬爆弾からの爆風波によって推進された二次的断片／破片の両方に対する保護を提供する。ＳＴＡＮＧＡＧ２２８０ＣｌａｓｓＣ−Ｌｅｖｅｌ４までの、複製された１２０ｍｍ迫撃砲脅威に対してパネルを認証する実物大爆薬試験で、削減された危険度ゾーン内に完全に貫通した断片は無し。
【図１】
2013519809.tif 000003
【図２ａ】
2013519809.tif 000004
【図２ｂ】
2013519809.tif 000005
【図３】
2013519809.tif 000006
【図４】
2013519809.tif 000007
【図５ａ−５ｂ】
2013519809.tif 000008
【図５ｃ】
2013519809.tif 000009
【図５ｄ】
2013519809.tif 000010
【図６】
2013519809.tif 000011
【図７】
2013519809.tif 000012
【図８】
2013519809.tif 000013
【図９】
2013519809.tif 000014
【図１０】
2013519809.tif 000015
【図１１】
2013519809.tif 000016
【図１２】
2013519809.tif 000017
【図１３】
2013519809.tif 000018
【図１４】
2013519809.tif 000019
【図１５】
2013519809.tif 000020
【図１６】
2013519809.tif 000021
【図１７】
2013519809.tif 000022
【図１８】
2013519809.tif 000023
【図１９】
2013519809.tif 000024
【図２０】
2013519809.tif 000025
【図２１】
2013519809.tif 000026
【国際調査報告】
2013519809.tif 000027
2013519809.tif 000028
2013519809.tif 000029
2013519809.tif 000030
2013519809.tif 000031